(57)【要約】【課題】プログラム可能な装置用の静電放電（ＥＳＤ）保護機器を提供する。【解決手段】このＥＳＤ保護機器は、ＥＳＤイベントによって誘発された障害からプログラム可能な装置を守るために、パッドからパワーシステムまでの電気経路に沿って高インピーダンスを提供し、また、通常の読み取り動作と書き込み動作の最中に、インピーダンスを故意に低減することができる。【選択図】図７
2007103903.tif 000002
【特許請求の範囲】
【請求項１】
プログラム可能な装置用の静電放電（ＥＳＤ）保護機器であり、
第１ノードと電気接続した第１端部を具備した第１回路を備え、
前記第１端部が前記第１回路の第２端部と電気接続しているＥＳＤ保護ユニットをさらに備え、
前記第１端部が前記ＥＳＤ保護ユニットの前記第２端部と電気接続している第２回路をさらに備え、
プログラミング結果を記録するための第１端部と第２端部を有するプログラム可能な装置をさらに備え、前記プログラム可能な装置の前記第１端部が前記第２回路の前記第２端部と電気接続しており、
第１端部と第２端部が前記プログラム可能な装置の第２端部と第２ノードとにそれぞれ電気接続している第３回路をさらに備え、
前記プログラム可能な装置は第１回路、前記第２回路、前記第３回路を使用してプログラムされ、および/またはプログラム可能な装置のプログラミング結果は第１回路、第２回路、第３回路を使用して取得され、さらに、
ＥＳＤが発生すると、前記プログラム可能な装置を静電放電によって誘発された障害から守るために、前記ＥＳＤ保護ユニットが高インピーダンスを提供する、プログラム可能な装置用のＥＳＤ保護機器。
【請求項２】
前記第１回路はワイヤリードを備えており、前記ワイヤリードの第１端部と第２端部が、それぞれ第１ノードとＥＳＤ保護ユニットの第1端部に電気接続している、請求項１に記載のプログラム可能な装置用のＥＳＤ保護機器。
【請求項３】
前記第２回路はワイヤリードを備えており、前記ワイヤリードの第１端部と第２端部が、それぞれ前記ＥＳＤ保護ユニットの第２端部と前記プログラム可能な装置の第１端部に電気接続している、請求項１に記載のプログラム可能な装置用のＥＳＤ保護機器。
【請求項４】
前記第３回路はワイヤリードを備えており、前記ワイヤリードの第１端部と第２端部が、それぞれ前記プログラム可能な装置の第２端部と第２ノードとに接続している、請求項１に記載のプログラム可能な装置用のＥＳＤ保護機器。
【請求項５】
前記プログラム可能な装置はヒューズである、請求項１に記載のプログラム可能な装置用のＥＳＤ保護機器。
【請求項６】
前記第１ノードはパッドと結合しており、前記第２ノードはパワー電圧線と結合している、請求項１に記載のプログラム可能な装置用のＥＳＤ保護機器。
【請求項７】
前記第１ノードはパッドと結合しており、前記第２ノードは接地電圧線と結合している、請求項１に記載のプログラム可能な装置用のＥＳＤ保護機器。
【請求項８】
前記ＥＳＤ保護ユニットは、
第１トランジスタを備え、そのソースとドレインがそれぞれ前記第１回路の第２端部と前記第２回路の第１端部とに結合しており、
第４回路をさらに備え、前記第４回路は、前記ＥＳＤ保護ユニットを、高インピーダンスを提供するまたは提供しないよう制御するために前記第１トランジスタのゲート結合している、請求項１に記載のプログラム可能な装置用のＥＳＤ保護機器。
【請求項９】
前記第１トランジスタはＰ型トランジスタである、請求項８に記載のプログラム可能な装置用のＥＳＤ保護機器。
【請求項１０】
前記第４回路は第１ワイヤリードを備えており、前記ワイヤリードの両端が、それぞれ前記第１トランジスタのゲートと接地電圧線に接続している、請求項９に記載のプログラム可能な装置用のＥＳＤ保護機器。
【請求項１１】
前記第１トランジスタはＮ型トランジスタである、請求項８に記載のプログラム可能な装置用のＥＳＤ保護機器。
【請求項１２】
前記第４回路は第１ワイヤリードを備えており、前記第１ワイヤリードの両端が、前記第１トランジスタのゲートとパワー電圧線とに接続している、請求項１１に記載のプログラム可能な装置用のＥＳＤ保護機器。
【請求項１３】
前記ＥＳＤ保護ユニットはさらに第２トランジスタを備えており、前記第１トランジスタと前記第２トランジスタは、前記第１回路の第２端部と前記第２回路の第１端部との間で直列接続しており
前記第４回路は、高インピーダンスを提供するまたは提供しないように前記ＥＳＤ保護ユニットを制御するために、前記第１トランジスタのゲートと前記第２トランジスタのゲートとに電気接続している、請求項８に記載のプログラム可能な装置用のＥＳＤ保護機器。
【請求項１４】
前記第２トランジスタはＰ型トランジスタである、請求項１３に記載のプログラム可能な装置用のＥＳＤ保護機器。
【請求項１５】
前記第４回路は第２ワイヤリードを備えており、前記第２ワイヤリードの両端が、それぞれ前記第２トランジスタのゲートと前記接地電圧線とに接続している、請求項１４に記載のプログラム可能な装置用のＥＳＤ保護機器。
【請求項１６】
前記第２トランジスタはＮ型トランジスタである、請求項１３に記載のプログラム可能な装置用のＥＳＤ保護機器。
【請求項１７】
前記第４回路は第２ワイヤリードを備えており、前記第２ワイヤリードの両端が、それぞれ第２トランジスタのゲートとパワー電圧線とに接続している、請求項１６に記載のプログラム可能な装置用のＥＳＤ保護機器。
【請求項１８】
前記ＥＳＤ保護ユニットの第２端部と電気接続したプルアップ/ダウン回路をさらに備えている、請求項１に記載のプログラム可能な装置用のＥＳＤ保護機器。
【請求項１９】
前記第１ノードはパッドと電気接続しており、前記パッドは前記第１ノードに結合したＥＳＤ保護機器を設けている、請求項１に記載のプログラム可能な装置用のＥＳＤ保護機器。
【請求項２０】
プログラム可能な装置用のＥＳＤ保護機器であり、
第５回路を備え、ここで、前記第１端部が第１ノードに電気接続しており、
プログラミング結果を記録するための第１端部と第２端部を有するプログラム可能な装置をさらに備え、前記プログラム可能な装置の第１端部が前記第５回路の第２端部と電気接続しており、
ＥＳＤ保護ユニットをさらに備え、その前記第１端部が前記プログラム可能な装置の第２端部と電気接続しており、さらに、
第６回路をさらに備え、その第１端部と第２端部が、それぞれ前記ＥＳＤ保護ユニットの第２端部と第２ノードとに電気接続しており、
前記プログラム可能な装置は前記第５回路および/または第６回路によってプログラムされており、および/または前記プログラム可能な装置のプログラミング結果は前記第５回路および/または第６回路により取得され、さらに、
前記ＥＳＤが発生すると、前記静電放電によって誘発される障害から前記プログラム可能な装置を守るために、前記保護ユニットが高インピーダンスを提供する、プログラム可能な装置用のＥＳＤ保護機器。
【請求項２１】
前記第５回路はワイヤリードを備えており、前記ワイヤリードの第１端部と第２端部が、それぞれ前記第１ノードと前記プログラム可能な装置の第１端部とに電気接続している、請求項２０に記載のプログラム可能な装置用のＥＳＤ保護機器。
【請求項２２】
前記第６回路はワイヤリードを備えており、前記ワイヤリードの第１端部と第２端部が、それぞれ前記ＥＳＤ保護ユニットの第２端部と前記第２ノードとに電気接続している、請求項２０に記載のプログラム可能な装置用のＥＳＤ保護機器。
【請求項２３】
前記プログラム可能な装置はヒューズである、請求項２０に記載のプログラム可能な装置用のＥＳＤ保護機器。
【請求項２４】
前記第１ノードはパッドと結合し、前記第２ノードはパワー電圧線と結合している、請求項２０に記載のプログラム可能な装置用のＥＳＤ保護機器。
【請求項２５】
前記第１ノードはパッドと結合し、前記第２ノードは接地電圧線と結合している、請求項２０に記載のプログラム可能な装置用のＥＳＤ保護機器。
【請求項２６】
前記ＥＳＤ保護ユニットは、
第１トランジスタを備えており、そのソースとドレインが、それぞれ前記プログラム可能な装置の第２端部と前記第６回路の第１端部に結合しており、
ＥＳＤ保護ユニットを、高インピーダンスを提供するまたは提供しないよう制御するために、前記第１トランジスタのゲートと結合した第７回路をさらに備えている、請求項２０に記載のプログラム可能な装置用のＥＳＤ保護機器。
【請求項２７】
前記第１トランジスタはＰ型トランジスタである、請求項２６に記載のプログラム可能な装置用のＥＳＤ保護機器。
【請求項２８】
前記第７回路は第１ワイヤリードを備えており、前記第１ワイヤリードの両端が、それぞれ前記第１トランジスタのゲートと接地電圧線とに接続している、請求項２７に記載のプログラム可能な装置用のＥＳＤ保護機器。
【請求項２９】
前記第１トランジスタはＮ型トランジスタである、請求項２６に記載のプログラム可能な装置用のＥＳＤ保護機器。
【請求項３０】
前記第７回路は第１ワイヤリードを備えており、前記ワイヤリードの両端が、それぞれ前記第１トランジスタのゲートとパワー電圧線とに接続している、請求項２９に記載のプログラム可能な装置用のＥＳＤ保護機器。
【請求項３１】
前記ＥＳＤ保護ユニットはさらに第２トランジスタを備えており、前記第１トランジスタと前記第２トランジスタは、前記プログラム可能な装置の第２端部と前記第６回路の第１端部との間で直列接続しており、
前記第４回路は、高インピーダンスを提供するまたは提供しないよう前記ＥＳＤ保護ユニットを制御するために、前記第１トランジスタのゲートと前記第２トランジスタのゲートとに電気接続している、請求項２６に記載のプログラム可能な装置用のＥＳＤ保護機器。
【請求項３２】
前記第２トランジスタはＰ型トランジスタである、請求項３１に記載のプログラム可能な装置用のＥＳＤ保護機器。
【請求項３３】
前記第７回路は第２ワイヤリードを備えており、前記第２ワイヤリードの両端は、それぞれ前記第２トランジスタのゲートと接地電圧線とに接続している、請求項３２に記載のプログラム可能な装置用のＥＳＤ保護機器。
【請求項３４】
前記第２トランジスタはＮ型トランジスタである、請求項３１に記載のプログラム可能な装置用のＥＳＤ保護機器。
【請求項３５】
前記第７回路は第２ワイヤリードを備えており、前記第２ワイヤリードの両端は、それぞれ前記第２トランジスタのゲートとパワー電圧線とに接続している、請求項３４に記載のプログラム可能な装置用のＥＳＤ保護機器。
【請求項３６】
前記第１ノードはパッドと電気接続しており、前記パッドはＥＳＤ保護機器を設けており、前記ＥＳＤ保護機器は前記第１ノードと結合している、請求項２０に記載のプログラム可能な装置用のＥＳＤ保護機器。
【請求項３７】
プログラム可能な装置用のＥＳＤ保護機器であり、
第８回路を備え、その第１端部が第１ノードと電気接続しており、
第１ＥＳＤ保護ユニットをさらに備え、その第１端部が前記８回路の第２端部と電気接続しており、
プログラミング結果を記録するための第１端部と第２端部を有するプログラム可能な装置をさらに備え、前記プログラム可能な装置の第１端部は、前記第１ＥＳＤ保護ユニットの第２端部と電気接続しており、
第２ＥＳＤ保護ユニットをさらに備え、その第１端部が前記プログラム可能な装置の第２端部と電気接続しており、さらに、
第９回路をさらに備え、その第１端部と第２端部が、前記第２ＥＳＤ保護ユニットの第２端部と第２ノードとに電気接続しており、さらに、
前記プログラム可能な装置は、前記第８回路および/または第９回路によってプログラムされ、および/または前記プログラム可能な装置のプログラミング結果が、前記第８回路および/または第９回路によって取得され、さらに、
前記ＥＳＤが発生すると、前記第１および第２ＥＳＤ保護ユニットが、前記静電放電によって誘発される障害から前記プログラム可能な装置を守るために、高インピーダンスを提供する、プログラム可能な装置用のＥＳＤ保護機器。
【請求項３８】
前記第８回路はワイヤリードを備えており、前記ワイヤリードの第１端部と第２端部が、それぞれ前記第１ノードと前記第１ＥＳＤ保護ユニットの第１端部とに電気接続している、請求項３７に記載のプログラム可能な装置用のＥＳＤ保護機器。
【請求項３９】
前記第９回路はワイヤリードを備えており、前記ワイヤリードの第１端部と第２端部が、それぞれ前記第２ＥＳＤ保護ユニットの第２端部と前記第２ノードとに電気接続している、
請求項３７に記載のプログラム可能な装置用のＥＳＤ保護機器。
【請求項４０】
前記プログラム可能な装置はヒューズである、請求項３７に記載のプログラム可能な装置用のＥＳＤ保護機器。
【請求項４１】
前記第１ノードはパッドと結合し、前記第２ノードはパワー電圧線と結合している、請求項３７に記載のプログラム可能な装置用のＥＳＤ保護機器。
【請求項４２】
前記第１ノードはパッドと結合し、前記第２ノードは接地電圧線と結合している、請求項３７に記載のプログラム可能な装置用のＥＳＤ保護機器。
【請求項４３】
第１０回路をさらに備えており、
前記第１ＥＳＤ保護ユニットは第1トランジスタを設けており、前記第１トランジスタのドレインとソースが、それぞれ前記第８回路の第２端部と前記プログラム可能な装置の第１端部とに結合しており、前記第１トランジスタのゲートは前記第１０回路と電気接続しており、
前記第２ＥＳＤ保護ユニットは第２トランジスタを設けており、前記第２トランジスタのドレインとソースは、それぞれ前記プログラム可能な装置の第２端部と前記第９回路の第１端部とに結合し、前記第２トランジスタのゲートは前記第１０回路と電気接続しており、さらに、
前記第１０回路は、前記第１および第２ＥＳＤ保護ユニットを、高インピーダンスを提供するようまたは提供しないよう制御するために使用される、請求項３７に記載のプログラム可能な装置用のＥＳＤ保護機器。
【請求項４４】
前記第１トランジスタはＰ型トランジスタであり、前記第１０回路は第１ワイヤリードを備え、前記第１ワイヤリードの両端は、それぞれ前記第１トランジスタのゲートと接地電圧線とに接続している、請求項４３に記載のプログラム可能な装置用のＥＳＤ保護機器。
【請求項４５】
前記第１トランジスタはＮ型トランジスタであり、前記第１０回路は第１ワイヤリードを備え、前記第１ワイヤリードの両端が、それぞれ前記第１トランジスタのゲートとパワー電圧線とに接続している、請求項４３に記載のプログラム可能な装置用のＥＳＤ保護機器。
【請求項４６】
前記第２トランジスタはＰ型トランジスタであり、前記第１０回路は第２ワイヤリードを備え、前記第２ワイヤリードの両端が、それぞれ前記第２トランジスタのゲートと接地電圧線とに接続している、請求項４３に記載のプログラム可能な装置用のＥＳＤ保護機器。
【請求項４７】
前記第２トランジスタはＮ型トランジスタであり、前記第１０回路は第２ワイヤリードを備え、前記第２ワイヤリードの両端が、それぞれ前記第２トランジスタのゲートとパワー電圧線とに接続している、請求項４３に記載のプログラム可能な装置用のＥＳＤ保護機器。
【請求項４８】
前記第１ノードはパッドと電気接続しており、前記パッドは前記第１ノードと結合したＥＳＤ保護機器を設けている、請求項３７に記載のプログラム可能な装置用のＥＳＤ保護機器。
【発明の詳細な説明】
【技術分野】
【０００１】
本発明は、静電放電（ＥＳＤ）保護機器に関する。より詳細には、本発明はプログラム可能な装置のためのＥＳＤ保護機器に関する。
【背景技術】
【０００２】
プログラム可能な装置、例えばＩＣヒューズ・トリムセルは、永久的なプログラミングを必要とする多数の集積回路製品に頻繁に使用されており、そのため、集積回路を、その製造後に異なる使用要求に従ってトリミングすることができる。例えば、基準電圧のデータまたは複数の回路パラメータデータ、および、アナログ/デジタル変換器、デジタル/アナログ変換器、電圧制御発振器の１回のみプログラム可能なメモリデータが記録される。プログラム可能な装置の設計概念は、内部に記録されているデータの正確な読み取りを確実に行うことである。したがって、プログラム可能な装置をＥＳＤにより誘発された障害から守る技術が重要な役割を果たす。
【発明の開示】
【発明が解決しようとする課題】
【０００３】
図１に示すような従来のポリシリコンヒューズ・トリムセルが、米国特許第６，６５４，３０４号に開示されている。ポリシリコンのヒューズＦ１とトランジスタＭＮ０はノード１０の、複数のパワーレールＶＤＤとＧＮＤの間において相互に直列接続している。制御信号ＴＲＩＭ（１つまたはそれ以上のインバータＵ１、Ｕ２によりバッファされている）のために、トランジスタＭＮ０によって駆動される電流の量はヒューズＦ１を飛ばすのに十分な量であるため、結果として開路が得られる。電流源回路１２はノード１０と接続したトランジスタＭＮ１から成っており、また、付勢電圧ＶＢに従って低電流Ｉ１（約２〜５μＡ）が供給される。ノード１０の論理レベルがインバータＵ３によって反転され、その後、トリムセルの出力ＯＵＴとして出力される。この動作では、ヒューズＦ１が飛ばない場合には、電流（Ｉ１）はヒューズＦ１を流れて、ヒューズＦ１の２つの端部間に低電圧降下を生じさせ、また、ノード１０が電圧ＶＤＤ（高レベル）とほぼ等しくなる。これにより、インバータＵ３が、低論理レベルをトリムセルの出力ＯＵＴとして出力する。制御信号ＴＲＩＭのためにヒューズＦ１が飛んだ場合には、電流Ｉ１がノード１０のレベルを電圧ＧＮＤ（低レベル）へ引き下げることで、結果として高レベルの出力ＯＵＴが得られる。この時点で、出力ＯＵＴの状態は、ヒューズＦ１が飛んだか否かに従ってプログラムされる。しかし、図１中のヒューズＦ１はＥＳＤ保護回路によって保護されないので、静電放電による障害を回避することができない。
【０００４】
別の従来のプログラム可能な装置回路が、図２に示す米国特許第６，１５７，２４１号にて提供されている。図２では、プログラム可能なヒューズ要素２２の一端はパッド２４と結合し、他端は接地電圧線２６と直説結合している。そのため、ＥＳＤイベントの最中に、プログラム可能なヒューズ要素２２が損傷し易い。通常、ポリシリコン製のヒューズは数マイクロアンペアの通電を許容する。しかしながら、人間身体モデルＥＳＤ（電圧約２ｋＶ）ではポリシリコン製ヒューズの許容電流範囲を超える約１．３アンペアの電流が生じる。ＥＳＤが発生すると、プログラム可能なヒューズ要素２２は、ＥＳＤ保護回路の保護無しでは容易に損傷してしまう。
【０００５】
通常、ヒューズは電気手段または光学手段によって飛ぶ。しかし、ヒューズを飛ばす技術から生じたエネルギーは、ヒューズの状態を読み取る回路に電気過剰応力（ＥＯＳ）またはＥＳＤの障害を起こしかねない。ヒューズ３０１、受信機回路３０２、複数のＮ型トランジスタ３０４、３０８、Ｐ型トランジスタ３０６、複数の制御回路３１０、３１２を装備した耐欠陥ヒューズネットワークが、図３に示す米国特許第６，７６２，９１８号に開示されている。ヒューズ３０１の両端はそれぞれ接地電位とＮ型トランジスタ３０４、３０８に接続している。Ｎ型トランジスタ３０４はＰ型トランジスタ３０６と受信機回路３０２に結合している。ヒューズ３０１が飛ばない場合には、Ｎ型トランジスタ３０４の入力端部が、ヒューズ３０１の出力端部によって低レベルへと引き下げられる。Ｎ型トランジスタ３０４が導通している場合には、受信機回路３０２の入力端部がヒューズ３０１によって引き下げられるため、出力端部３１４に高レベルが形成される。ヒューズ３０１が飛んだ場合には、出力端部３１４により低いレベルが形成される。ヒューズ３０１の状態の決定および変更を行うために、追加の装置である複数の制御回路３１２、３１０、３０８、３０６を使用している。ヒューズ３０１の状態の決定は、制御回路３１０で制御されているＮ型トランジスタ３０８を接地することで行う。制御回路３１２とＰ型トランジスタ３０６を使用して、受信機回路３０２の入力端部の引き上げを行う。
【０００６】
図３のヒューズネットワークは、ＥＯＳおよびＥＳＤによるヒューズ状態の読み取りエラーを発生し得る。例えば、静電放電によってフィールド効果のＮ型トランジスタ３０８に２次絶縁破壊が誘発されると、フィールド効果のＮ型トランジスタ３０４の結合端部に低電位が生じ、これにより出力端部における出力レベルのエラーが誘発されることで、ヒューズ３０１の状態を正確に決定することができなくなる。
【０００７】
図４に示すように、図３の不完全性を克服した別のヒューズ回路システムが米国特許第６，７６２，９１８号にて提供されている。ヒューズ４０１の一端は接地端部と結合し、他端は内部ネットワークおよび２つのＥＳＤ保護機器４１４、４１６と結合している。ヒューズ回路のＥＳＤ保護機能は劇的に改善された。しかし、より広いチップエリアが必要となり、接地端部ＶＳＳによる静電放電が原因で生じるヒューズ４０１への障害を回避することはできない。
【０００８】
別のヒューズ回路システムが、米国特許第６，４６９，８８４号で図５に示すように提供されているが、さらなる詳細は省く。従来技術の主要な目的は、ヒューズがＥＳＤによって飛ぶ前に、プログラム可能な回路を迅速に切断してヒューズを保護することである。しかしながら、図５では、プログラム可能な装置５０１の両端における電気経路に沿って保護を提供するためのＥＳＤ保護機器は設けられていない。
【０００９】
別のヒューズ回路システムが、米国特許第６，８８２，２１４号で図６に示すように提供されているが、さらなる詳細は省く。図６では、金属ヒューズ６２１、供給抵抗６２３、絶縁ダイオード６２２を使用して、入力ピンの過剰負荷とＥＯＳ状態の電気絶縁を行っている。しかしながら、図６では、プログラム可能な装置の電気経路に沿って保護を提供するためのＥＳＤ保護機器は設けられていない。
【００１０】
上述した全ての米国特許はオリジナル文書中に詳細に記載されている。本願明細書は、プログラム可能な装置のためのＥＳＤ保護方法を図示するためだけのものであり、ここで省略されているこれ以外の関連内容についてはオリジナル文書を参照されるべきである。
【００１１】
上述を鑑みて、集積回路内のプログラム可能な装置（例えばヒューズ）はＥＳＤによって損傷を受け易い。したがって、ＥＳＤ保護回路なしでは、プログラム可能な装置を装備した集積回路の信頼性が低下してしまうことになる。
【課題を解決するための手段】
【００１２】
本発明の目的は、プログラム可能な装置（例えばヒューズ）をＥＳＤイベントにより誘発された障害から守るための、プログラム可能な装置用のＥＳＤ保護機器を提供することである。
【００１３】
本発明の別の目的は、プログラム可能な装置用のＥＳＤ保護機器を提供し、また、上述した目的を達成するための本発明の精神に従った別の実施形態を提供することである。
【００１４】
本発明のさらに別の目的は、プログラム可能な装置用のＥＳＤ保護機器を提供し、また、上述した目的を達成するための本発明の精神に従ったさらに別の実施形態を提供することである。
【００１５】
上述した目的および他の目的に基づき、本発明は、第１回路、ＥＳＤ保護ユニット、第２回路、プログラム可能な装置、および第３回路を装備したプログラム可能な装置用のＥＳＤ保護機器を提供する。第１回路の第１端部は第１ノードと電気接続している。ＥＳＤ保護ユニットの第１端部は第１回路の第２端部と電気接続している。第２回路の第１端部はＥＳＤ保護ユニットの第２端部と電気接続している。プログラム可能な装置はプログラミング結果を記録するために使用されるが、この場合、プログラム可能な装置の第１端部は第２回路の第２端部と電気接続している。第３回路の第１端部と第２端部は、プログラム可能な装置の第２端部と第２ノードとにそれぞれ電気接続している。プログラム可能な装置は第１回路、第２回路、第３回路を使用してプログラムされ、および/またはプログラム可能な装置のプログラミング結果が第１回路、第２回路、第３回路によって取得される。ＥＳＤが発生すると、プログラム可能な装置を静電放電により誘発された障害から守るために、ＥＳＤ保護ユニットが高インピーダンスを提供する。
【００１６】
別の観点から、本発明は、第５回路、プログラム可能な装置、ＥＳＤ保護ユニット、第６回路を装備した、プログラム可能な装置のためのＥＳＤ保護機器を提供する。第５回路の第１端部は第１ノードと電気接続している。プログラム可能な装置はプログラミング結果を記録するために使用されるが、この場合、プログラム可能な装置の第１端部は第５回路の第２端部と電気接続している。ＥＳＤ保護ユニットの第１端部は、プログラム可能な装置の第２端部と電気接続している。第６回路の第１端部と第２端部は、それぞれＥＳＤ保護ユニットの第２端部と第２ノードとに電気接続している。プログラム可能な装置は、第５回路および第６回路によってプログラムされ、および/またはプログラム可能な装置のプログラミング結果が第５回路および第６回路によって取得される。ＥＳＤが発生すると、プログラム可能な装置を静電放電により誘発された障害から守るために、ＥＳＤ保護ユニットが高インピーダンスを提供する。
【００１７】
本発明はさらにまた別の、第８回路、第９回路、第１ＥＳＤ保護ユニット、第２ＥＳＤ保護ユニット、プログラム可能装置を装備した、プログラム可能な装置用のＥＳＤ保護機器を提供する。第８回路の第１端部は第１ノードと電気接続している。第１ＥＳＤ保護ユニットの第１端部は、第８回路の第２端部と電気接続している。プログラム可能な装置はプログラミング結果を記録するために使用されるが、この場合、プログラム可能な装置の第１端部は第１ＥＳＤ保護ユニットの第２端部と電気接続している。第２ＥＳＤ保護ユニットの第１端部はプログラム可能な装置の第２端部と電気接続している。第９回路の第１端部と第２端部は第２ＥＳＤ保護ユニットの第２端部と第２ノードとにそれぞれ電気接続している。プログラム可能な装置は第８回路と第９回路によってプログラムされ、および/またはプログラム可能な装置のプログラミング結果が第８回路と第９回路によって取得される。ＥＳＤが発生すると、プログラム可能な装置を静電放電により誘発された障害から守るために、第１および第２ＥＳＤ保護ユニットが高インピーダンスを提供する。
【発明の効果】
【００１８】
高インピーダンスは、本発明のＥＳＤ保護ユニット内のプログラム可能な装置を介して、パッドからパワーシステムまでの電気経路に沿って正確に提供されるため、プログラム可能な装置をＥＳＤイベントによって誘発された障害から守ることができる。さらに、通常の読み取り動作および書き込み動作の最中に、ＥＳＤ保護ユニットのインピーダンスを低減することもできる。
【００１９】
本発明の前述した目的およびこれ以外の目的、特徴、利点を理解するために、以降では、図面に添付した複数の実施形態について説明する。
【発明を実施するための最良の形態】
【００２０】
プログラム可能な装置をＥＳＤイベントによって誘発された障害から保護するための、本発明による複数のＥＳＤ保護機器の複数の実施形態は以下のとおり例証される。ＥＳＤ保護機器によって適切な高インピーダンスが提供され、また、プログラム可能な装置（例えば、ヒューズ）の両端間の電圧降下を低減することで、プログラム可能な装置が、ＥＳＤイベントによって誘発された障害から保護される。通常の読み取り動作および書き込み動作の最中に、制御回路の状態を変更することで、ＥＳＤ保護ユニットのインピーダンスを低減することができる。
【００２１】
図７は、本発明の実施形態によるプログラム可能な装置のためのＥＳＤ保護機器のブロック線図である。図７を参照すると、ＥＳＤ保護機器７００は第１回路７２０、ＥＳＤ保護ユニット７３０、第２回路７４０、プログラム可能な装置７５０、そして第３回路７６０を装備している。第１回路の第１端部と第２端部は、それぞれ第１ノード７０１とＥＳＤ保護ユニット７３０の第１端部に電気接続している。第２回路７４０の第１端部と第２端部は、それぞれＥＳＤ保護ユニット７３０の第２端部とプログラム可能な装置７５０の第１端部に電気接続している。プログラム可能な装置７５０はプログラミング結果を記録するために使用される。第３回路７６０の第１端部と第２端部は、それぞれプログラム可能な装置７５０の第２端部と第２ノード７０２に電気接続している。プログラム可能な装置７５０は、第１回路７２０、第２回路７４０、および/または第３回路７６０を使用してプログラムされる。および/または、プログラミング結果が、第１回路７２０、第２回路７４０、および/または第３回路７６０を使用して取得される。本発明では、プルアップ/ダウン回路７８０は、必要に応じてＥＳＤ保護ユニット７３０の第２端部と結合するように設計されている。さらに、本発明では、第１ノード７０１と第２ノード７０２は、それぞれパッド７１０とパワーシステム７７０に電気接続している。
【００２２】
パワーシステム７７０は、パワー電圧線、接地電圧線、または設計者が必要に応じて設けるその他であるとする。一般に、従来のＥＳＤ保護機器７１１はパッド７１０の設計でパッド７１０に配置されており、その部分において従来のＥＳＤ保護機器７１１がパッド７１０（つまり第１ノード７０１）と結合している。ＥＳＤが発生すると、プログラム可能な装置７５０の両端部の間の電圧降下を低減し、プログラム可能な装置７５０をＥＳＤイベントによって誘発される障害から保護するために、ＥＳＤ保護ユニット７３０によって高インピーダンスが提供される。当然ながら、プログラム可能な装置７５０内を流れる静電放電を低減するべく、従来のＥＳＤ保護機器７１１によって静電放電を散逸することができる。
【００２３】
図１０Ａ〜図１９Ｄは、それぞれ本発明による図７中のＥＳＤ保護機器７００の複数の実施形態を図示する。図１０Ａによれば、この実施形態では、第１回路７２０と第３回路７６０はワイヤリードによって実現されている。ＥＳＤ保護ユニット７３０は第１トランジスタ（ここではＰ型トランジスタ）１００１と第４回路１００２によって実現されている。さらに、プログラム可能な装置７５０はヒューズによって実現されている。プログラム可能な装置７５０は第２回路７４０によって、例えばヒューズを飛ばすべきか否を決定するようプログラムされる。あるいは、プログラム可能な装置７５０の状態が第２回路７４０によって読み取られる。第２回路７４０の機能は、当業者が考え得る任意の手段で達成することができるため、ここでは第２回路７４０の実施形態を図示しない。第１トランジスタ１００１が、そのゲートが第４回路１００２に接続し、そのソースとドレインがそれぞれパッド７１０と第２回路７４０に接続した状態で、ＥＳＤ保護機器として使用される。
【００２４】
読み取り動作の最中に、第２回路７４０が、プログラム可能な装置７５０の両端部の間における電圧降下を感知する。プログラム可能な装置７５０が飛んだ場合には、検出された電圧は決してパワーシステム７７０（例えば接地電圧）のレベルと等しいものではない。プログラム可能な装置７５０が飛ばない場合には、検出された電圧は確実にパワーシステム７７０のレベルに近い。そしてその後、第２回路７４０が検出された電圧を２次回路に供給して、読み取り動作が完了する。
【００２５】
「飛ばし」動作の最中、パッド７１０を介してプログラム可能な７５０に外圧が供給され、第１トランジスタ１００１が第４回路１００２の制御によって導通する。その一方で、第２回路７４０も書き込み動作の準備中に導通する。第２回路７４０と第１トランジスタ１００１の両方が低インピーダンスを提供するため、パッド７１０からパワーシステム７７０にまで電流経路が形成される。プログラム可能な装置７５０に電流が流れると熱が生成されることで、プログラム可能な装置７５０が電線を飛ばして期待どおりにプログラムされる。
【００２６】
ＥＳＤイベントの最中、第１トランジスタ１００１によって、パッド７１０からパワーシステム７７０までの電流経路に高インピーダンスが供給される。第１トランジスタ１００１が電流経路内に直列接続しているため、供給された高インピーダンスによって静電放電電圧が分割される。これにより、ＥＳＤイベントが発生したためにプログラム可能な装置７５０を通過するエネルギーが低減されることで、エネルギーがプログラム可能な装置７５０の「飛ばし」動作に必要な電圧よりも低くなる。それ故に、プログラム可能な装置７５０は元の状態を維持することができ、保存されているデータの正確性が保証される。
【００２７】
上述した第４回路１００２の機能は任意の手段によって達成できる。例えば、第４回路１００２を第１ワイヤリードによって実現し、第１ワイヤリードの両端をそれぞれ第１トランジスタ１００１のゲートと接地電圧線に接続する。さらに、ＥＳＤ保護ユニット７３０の実現は上述した方法に限定されるものではない。図１０Ｂは、本発明によるＥＳＤ保護機器７００の別の実施形態を図示している。図１０Ｂは図１０Ａと類似しているが、図１０Ｂでは、第１トランジスタ１００３がＥＳＤ保護ユニット７３０内のＮ型トランジスタを使用して実現される点が異なっている。第４回路１００４の機能は任意の手段によって達成できる。例えば、第４回路１００４は第１ワイヤリードによって実現され、第１ワイヤリードの両端はそれぞれ第１トランジスタ１００３のゲートとパワー電圧線に接続している。第４回路によって制御されることにより、第１トランジスタ１００３が「飛ばし」動作の最中に導通し、第１トランジスタ１００３はＥＳＤイベントの最中に高インピーダンスを供給する。
【００２８】
図１１Ａは、図７中の本発明によるＥＳＤ保護機器７００の別の実施形態を図示する。図１１Ａを参照すると、第１回路７２０と第２回路７４０はワイヤリードにより実現されている。また、ＥＳＤ保護ユニット７３０は、第１トランジスタ（ここではＰ型トランジスタ）１１０１と第４回路１１０２によって実現されている。さらに、プログラム可能な装置７５０はヒューズによって実現されている。第１トランジスタ１１０１は、ゲートが第４回路１１０２と、ソースおよびドレインがパッド７１０およびプログラム可能な装置７５０とそれぞれ接続した状態で、ＥＳＤ保護機器として使用される。
【００２９】
「飛ばし」動作の最中に、プログラム可能な装置７５０に外圧がパッド７１０を介して供給され、第１トランジスタ１１０１が第４回路１１０２の制御によって導通する。その一方で、第３回路７６０も書き込み動作の準備中に導通する。第３回路７６０と第１トランジスタ１１０１の両方から低インピーダンスが提供されるため、パッド７１０からパワーシステム７７０にまで電流経路が形成される。プログラム可能な装置７５０に電流が流れると熱が発生する。これにより、プログラム可能な装置７５０が電線を飛ばして期待どおりにプログラムされる。第３回路７６０の機能は当業者が考え得る任意の手段によって達成できるため、ここでは第３回路７６０を実現する実施形態について図示しない。
【００３０】
ＥＳＤイベントの最中に、第１トランジスタ１１０１がパッド７１０からパワーシステム７７０までの電流経路に高インピーダンスを提供する。第１トランジスタ１１０１は電流経路内に直列接続しているため、ＥＳＤイベントが発生したためにプログラム可能な装置７５０を通過するエネルギーが低減され、これにより、エネルギーがプログラム可能な装置７５０の「飛ばし」動作に必要な電圧よりも低くなる。それ故に、プログラム可能な装置７５０は元の状態を維持することができ、記録されているデータの正確性が保証される。
【００３１】
上述した第４回路１１０２の機能は任意の手段によって達成できる。例えば、第４回路１１０２が第１ワイヤリードで実現され、第１ワイヤリードの両端がそれぞれ第１トランジスタ１１０１のゲートと接地電圧線とに接続している。さらに、ＥＳＤ保護ユニット７３０の実現も上述の方法に限定されるものではない。図１１Ｂは、本発明によるＥＳＤ保護機器７００の別の実施形態を図示する。図１１Ｂは図１１Ａと類似しているが、図１１Ｂでは、第１トランジスタ１１０３がＥＳＤ保護ユニット７３０内のＮ型トランジスタにより実現されている点が異なる。第４回路１１０４の機能は任意の手段によって達成できる。例えば、第４回路１１０４が第１ワイヤリードにより実現され、第１ワイヤリードの両端がそれぞれ第１トランジスタ１１０３のゲートとパワー電圧線と接続している。第４回路によって制御されているため、第１トランジスタ１１０３が「飛ばし」動作中に導通し、また、ＥＳＤイベントの最中に第１トランジスタ１１０３が高インピーダンスを提供する。
【００３２】
図１２Ａは、本発明による図７中のＥＳＤ保護機器７００の別の実施形態を図示する。図１２Ａを参照すると、第１回路７２０と第２回路７４０はワイヤリードにより実現されており、ＥＳＤ保護ユニット７３０は第１トランジスタ（ここではＰ型トランジスタと呼ぶ）１２０１と第４回路１２０２によって実現されている。さらに、プログラム可能な装置７５０はヒューズにより実現されている。第１トランジスタ１２０１は、そのゲートが第４回路１２０２と接続し、そのソースとドレインがそれぞれパッド７１０およびプログラム可能な装置７５０に接続した状態で、ＥＳＤ保護機器として使用される。一般に、従来のＥＳＤ保護機器７１１はパッド７１０の設計でパッド７１０に配置されており、この場所では、従来のＥＳＤ保護機器７１１がパッド７１０（つまり第１ノード７０１）と結合している。
【００３３】
「飛ばし」動作の最中、プログラム可能な装置７５０にパッド７１０を介して外圧が供給され、また、第１トランジスタ１２０１が第４回路１２０２の制御によって導通する。その一方で、第３回路７６０も書き込み動作の準備中に導通する。第３回路７６０と第１トランジスタ１２０１の両方が低インピーダンスを提供するため、パッド７１０からパワーシステム７７０にまで電流経路が形成される。プログラム可能な装置７５０に電流が流れると熱が発生し、プログラム可能な装置７５０が電線を飛ばして期待どおりにプログラムされる。第３回路７６０の機能は当業者が考え得る任意の手段によって達成されるため、ここでは第３回路７６０を実現する実施形態について図示しない。
【００３４】
ＥＳＤイベントの最中、第１トランジスタ１２０１が、パッド７１０からパワーシステム７７０までの電流経路に高インピーダンスを提供する。第１トランジスタ１２０１は電流経路内に直列接続しているため、ＥＳＤイベントが生じたためにプログラム可能な装置７５０を通過するエネルギーが低減され、これにより、エネルギーがプログラム可能な装置７５０の「飛ばし」動作に必要な電圧よりも低くなる。さらに、従来のＥＳＤ保護機器７１１を介して静電放電を散逸させ、プログラム可能な装置７５０を流れる静電放電を低減することができる。これにより、プログラム可能な装置７５０を元の状態に維持することができ、記録されたデータの正確性が保証される。
【００３５】
上述した第４回路１２０２の機能は任意の手段によって達成できる。例えば、第４回路１２０２が第１ワイヤリードにより実現され、第１ワイヤリードの両端がそれぞれ第１トランジスタ１２０１のゲートおよび接地電圧線と接続している。さらに、ＥＳＤ保護ユニット７３０の実現は、上述の方法に限定されるものではない。図１２Ｂは、本発明によるＥＳＤ保護機器７００の別の実施形態を図示する。図１２Ｂは図１２Ａと類似しているが、図１２Ｂでは、第１トランジスタ１２０３がＥＳＤ保護ユニット７３０内のＮ型トランジスタを実現している点が異なる。第４回路１２０４の機能は任意の手段によって達成できる。例えば、第１ワイヤリードが第４回路１２０４を実現し、第１ワイヤリードの両端がそれぞれ第１トランジスタ１２０３のゲートとパワー電圧線に接続している。第４回路によって制御されていることで、第１トランジスタ１２０３が「飛ばし」動作の最中に導通し、第１トランジスタ１２０３がＥＳＤイベントの最中に高インピーダンスを提供する。
【００３６】
図１３Ａは、本発明による図７中のＥＳＤ保護機器７００の別の実施形態を図示する。図１３Ａを参照すると、第１回路７２０と第２回路７４０はワイヤリードによって実現され、ＥＳＤ保護ユニット７３０は第１トランジスタ（ここではＰ型トランジスタと呼ぶ）１３０１および第４回路１３０２によって実現される。また、プログラム可能な装置７５０はヒューズによって実現される。第１トランジスタ１３０１は、ゲートが第４回路１３０２に接続し、ソースとドレインがそれぞれパッド７１０とプログラム可能な装置７５０に接続した状態で、ＥＳＤ保護機器として使用される。この実施形態では、さらにプルアップ/ダウン回路７８０がＥＳＤ保護ユニット７３０の第２端部と接続している。読み取り動作の最中、第４回路１３０２の制御によって第１トランジスタ１３０１が切断される。ここでは、プルアップ/ダウン回路７８０がＥＳＤ保護ユニット７３０の第２端部のレベルの引き上げ/引き下げを行う。これにより、第１トランジスタ１３０１切断時のプログラム可能な装置７５０の浮動が回避される。
【００３７】
「飛ばし」動作の最中、プログラム可能な装置７５０にパッド７１０を介して外圧が供給され、また、第４回路１３０２の制御により第１トランジスタ１３０１が導通する。その一方で、第３回路７６０も書き込み動作の準備中に導通する。第３回路７６０と第１トランジスタ１３０１の両方が低インピーダンスを提供することで、パッド７１０からパワーシステム７７０にまで電流経路が形成される。プログラム可能な装置７５０に電流が流れると熱が発生する。これによりプログラム可能な装置７５０が電線を飛ばして期待どおりにプログラムされる。第３回路７６０の機能は、当業者が考え得る任意の手段によって達成できるため、ここでは第３回路７６０を実現する実施形態について図示しない。
【００３８】
ＥＳＤイベントの最中、第１トランジスタ１３０１が、パッド７１０からパワーシステム７７０までの電流経路に高インピーダンスを提供する。第１トランジスタ１３０１は電流経路内に直列接続しているため、ＥＳＤイベントが発生したためにプログラム可能な装置７５０を通過するエネルギーが低減され、これにより、エネルギーがプログラム可能な装置７５０の「飛ばし」動作に必要な電圧よりも低くなる。それ故に、プログラム可能な装置７５０が元の状態を維持でき、記録されているデータの正確性が保証される。
【００３９】
上述した第４回路１３０２の機能は任意の手段によって達成できる。例えば、第４回路１３０２は第１ワイヤリードによって実現される。また、第１ワイヤリードの両端はそれぞれ第１トランジスタ１３０１のゲートと接地電圧ワイヤに接続している。さらに、ＥＳＤ保護ユニット７３０の実現は上述した方法に限定されるものではない。図１３Ｂは、本発明によるＥＳＤ保護機器７００の別の実施形態を図示する。図１３Ｂは図１３Ａと類似しているが、図１３Ｂでは、第１トランジスタ１３０３がＥＳＤ保護ユニット７３０内のＮ型トランジスタを実現している点が異なる。第４回路１３０４の機能は任意の手段で達成できる。例えば、第４回路１３０４が第１ワイヤリードにより実現され、第１ワイヤリードの両端がそれぞれ第１トランジスタ１３０３のゲートとパワー電圧線に接続している。第４回路によって制御されていることにより、第１トランジスタ１３０３が「飛ばし」動作の最中に導通し、また、ＥＳＤイベントの最中に第１トランジスタ１３０３が高インピーダンスを提供する。
【００４０】
図１４Ａは、本発明による図７中のＥＳＤ保護機器７００の別の実施形態を図示する。図１４Ａを参照すると、第１回路７２０と第２回路７４０はワイヤリードによって実現され、ＥＳＤ保護ユニット７３０は第１トランジスタ（ここではＰ型トランジスタと呼ぶ）１４０１と第４回路１４０２によって実現され、プログラム可能な装置７５０はヒューズで実現されている。第１トランジスタ１４０１は、ゲートが第４回路１４０２と接続し、ソースとドレインがそれぞれパッド７１０とプログラム可能な装置７５０と接続した状態で、ＥＳＤ保護機器として使用される。一般に、従来のＥＳＤ保護機器７１１は常にパッド７１０の設計でパッド７１０として配置されており、ここでは、従来のＥＳＤ保護機器７１１がパッド７１０（つまり第１ノード７０１）と結合している。この実施形態ではさらに、ＥＳＤ保護ユニット７３０の第２端部にプルアップ/ダウン回路７８０が結合している。読み取り動作の最中、第４回路１４０２の制御により、第１トランジスタ１４０１が切断される。ここでは、プルアップ/ダウン回路７８０がＥＳＤ保護ユニット７３０の第２端部のレベルの引き上げ/引き下げを行う。これにより、第１トランジスタ１４０１の切断時にプログラム可能な装置７５０の浮動を回避できる。
【００４１】
「飛ばし」動作の最中、パッド７１０を介してプログラム可能な装置７５０に外圧が供給され、第４回路１４０２の制御によって第１トランジスタ１４０１が導通する。その一方で、書き込み動作の準備中に第３回路７６０も導通する。第３回路７６０と第１トランジスタ１４０１の両方が低インピーダンスを提供することにより、パッド７１０からパワーシステム７７０にまで電流経路が形成される。プログラム可能な装置７５０に電流が流れると熱が発生し、これによりプログラム可能な装置７５０が電線を飛ばして期待どおりにプログラムされる。第３回路７６０の機能は当業者が考え得る任意の手段で達成できるため、ここでは第３回路７６０を実現する実施形態について図示しない。
【００４２】
ＥＳＤイベントの最中、第１トランジスタ１４０１が、パッド７１０からパワーシステム７７０までの電流経路に高インピーダンスを提供する。第１トランジスタ１４０１は電流経路内に直列接続しているため、ＥＳＤイベントが発生したことでプログラム可能な装置７５０を通過するエネルギーを低減でき、これにより、エネルギーがプログラム可能な装置７５０の「飛ばし」動作に必要な電圧よりも低くなる。さらに、従来のＥＳＤ保護機器７１１を介して静電放電を散逸させ、プログラム可能な装置７５０を流れる静電放電を低減することができる。これにより、プログラム可能な装置７５０を元の状態に維持でき、記録されているデータの正確性が保証される。
【００４３】
上述した第４回路１４０２の機能は任意の手段により達成できる。例えば、第４回路１４０２を第１ワイヤリードで実現し、第１ワイヤリードの両端をそれぞれ第１トランジスタ１４０１のゲートと接地電圧線に接続する。さらに、ＥＳＤ保護ユニット７３０の実現は上述した方法に限定されるものではない。図１４Ｂは本発明によるＥＳＤ保護機器７００の別の実施形態を図示している。図１４Ｂは図１４Ａと類似しているが、図１４Ｂでは、第１トランジスタ１４０３がＥＳＤ保護ユニット７３０内のＮ型トランジスタを実現している点が異なる。第４回路１４０４の機能は任意の手段により達成できる。例えば、第４回路１４０４が第１ワイヤリードで実現され、第１ワイヤリードの両端が、それぞれ第１トランジスタ１４０３のゲートとパワー電圧線に接続している。第４回路１４０４に制御されていることで、「飛ばし」動作の最中に第１トランジスタ１４０３が導通し、ＥＳＤイベントの最中に第１トランジスタ１４０３が高インピーダンスを提供する。
【００４４】
図１５Ａは、本発明による図７中のＥＳＤ保護機器７００の別の実施形態を図示する。図１５Ａを参照すると、第２回路７４０がワイヤリードで実現され、ＥＳＤ保護ユニット７３０が第１トランジスタ（ここではＰ型トランジスタ）１５０１および第４回路１５０２により実現され、さらに、プログラム可能な装置７５０が本実施形態中のヒューズにより実現されている。プログラム可能な装置７５０は第１回路７２０と第３回路７６０を使用して、ヒューズを飛ばすべきか否かを決定するようプログラムされる。あるいは、プログラム可能な装置７５０の状態が第１回路７２０と第３回路７６０によって読み取られる。第１回路７２０と第３回路７６０の機能は当業者が考え得る任意の手段によって達成できるため、第１回路７２０と第３回路７６０を実施する方法についての不必要な詳細はない。第１トランジスタ１５０１は、ゲートが第４回路１５０２に接続し、ソースとドレインがそれぞれ第１回路７２０とプログラム可能な装置７５０に接続した状態で、ＥＳＤ保護機器として使用される。
【００４５】
読み取り動作の最中に、第１トランジスタ１５０１が第４回路１５０２の制御によって切断される。その一方で、やはり読み取り動作の最中に第３回路７６０が導通する。第１回路７２０が、プログラム可能な装置７５０の両端間の電圧降下を感知する。プログラム可能な装置７５０が飛んだ場合には、検出された電圧はパワーシステム７７０のレベルと決して等しくない。プログラム可能な装置７５０が飛ばない場合には、検出された電圧はパワーシステム７７０のレベルに確実に近い。その後、第１回路７２０がこの検出された電圧を２次回路（図示せず）に供給して、読み取り動作が完了する。
【００４６】
「飛ばし」動作の最中、パッド７１０を介して、プログラム可能な装置７５０に外圧が供給され、また、第４回路１５０２の制御によって第１トランジスタ１５０１が導通する。その一方で、第１回路７２０と第３回路７６０も、書き込み動作の準備中に導通する。第１回路７２０、第３回路７６０、第１トランジスタ１５０１が低インピーダンスを提供することにより、パッド７１０からパワーシステム７７０にまで電流経路が形成される。プログラム可能な装置７５０を電流が流れると熱が発生し、これによりプログラム可能な装置７５０が電線を飛ばして期待どおりにプログラムされる。
【００４７】
ＥＳＤイベントの最中に、第１トランジスタ１５０１がパッド７１０からパワーシステム７７０までの電流経路に高インピーダンスを提供する。第１トランジスタ１５０１は電流経路内に直列接続しており、供給された高インピーダンスによって静電電圧が分割される。これにより、ＥＳＤイベントが発生したためにプログラム可能な装置７５０を通過するエネルギーが低減されることで、エネルギーがプログラム可能な装置７５０の「飛ばし」動作に必要な電圧よりも低くなる。それ故に、プログラム可能な装置７５０が元の位置を維持でき、記録されているデータの正確性が保証される。
【００４８】
上述した第４回路１５０２の機能は任意の手段で達成できる。例えば、第４回路１５０２を第１ワイヤリードで実現し、第１ワイヤリードの両端をそれぞれ第１トランジスタ１５０１のゲートと接地電圧線とに接続する。さらに、ＥＳＤ保護ユニット７３０の実現は上述の方法に限定されるものではない。図１５Ｂは、本発明によるＥＳＤ保護機器７００の別の実施形態を図示する。図１５Ｂは図１５Ａと類似しているが、図１５Ｂでは、第１トランジスタ１５０３がＥＳＤ保護ユニット７３０内のＮ型トランジスタを実現している点が異なる。第４回路１５０４の機能は任意の手段で達成できる。例えば、第４回路１５０４は第１ワイヤリードにより実現され、第１ワイヤリードの両端がそれぞれ第１トランジスタ１５０３のゲートとパワー電圧線に接続している。第４回路によって制御されていることで、第１トランジスタ１５０３が「飛ばし」動作の最中に導通し、また、ＥＳＤイベントの最中に第１トランジスタ１５０３が高インピーダンスを提供する。
【００４９】
図１６Ａは、本発明による図７中のＥＳＤ保護機器７００の別の実施形態を図示する。図１６Ａを参照すると、第２回路７４０と第３回路７６０はワイヤリードにより実現され、ＥＳＤ保護ユニット７３０は第１トランジスタ（ここではＰ型トランジスタと呼ぶ）１６０１および第４回路１６０２により実現され、プログラム可能な装置７５０がヒューズにより実現される。プログラム可能な装置７５０は、ヒューズを飛ばすべきか否かを決定するために、第１回路７２０を使用してプログラムされる。あるいは、第１回路７２０がプログラム可能な装置７５０の状態を読み取る。第１回路７２０の機能は当業者が考え得る任意の手段によって達成できるため、ここでは第１回路７２０の実施形態を図示しない。第１トランジスタ１６０１は、ゲートを第４回路１６０２と接続し、ソースとドレインをそれぞれ第１回路７２０およびプログラム可能な装置７５０と接続した状態で、ＥＳＤ保護機器として使用される。
【００５０】
読み取り動作の最中に、第１トランジスタ１６０１が、第４回路１６０２の制御によって切断される。第１回路７２０が、プログラム可能な装置７５０の両端の間における電圧降下を感知する。プログラム可能な装置７５０が飛んだ場合、検出された電圧はパワーシステム７７０のレベルと決して等しくない。プログラム可能な装置７５０が飛ばない場合は、検出された電圧はパワーシステム７７０のレベルと確実に近い。その後、第１回路７２０が、この検出された電圧を２次回路（図示せず）に供給して、読み取り動作が完了する。さらに、特別に必要であれば、第１トランジスタ１６０１を第４回路１６０２の制御によって切断して、第１回路７２０がプログラム可能な装置７５０（ここではプログラム可能な装置７５０は図示されていない）が飛んだ情報を感知できるようにし、この情報を２次回路に出力させるようにすることもできる。
【００５１】
「飛ばし」動作の最中に、パッド７１０を介してプログラム可能な装置７５０に外圧が供給され、第１トランジスタ１６０１が第４回路１６０２の制御によって導通する。その一方で、第１回路７２０も書き込み動作の準備中に導通する。第１回路７２０と第１トランジスタ１６０１の両方が低インピーダンスを提供することで、パッド７１０からパワーシステム７７０にまで電流経路が形成される。プログラム可能な装置７５０に電流が流れると熱が発生するため、プログラム可能な装置７５０が電線を飛ばして期待どおりにプログラムされる。
【００５２】
ＥＳＤイベントの最中に、第１トランジスタ１６０１が、パッド７１０からパワーシステム７７０までの電流経路に高インピーダンスを提供する。第１トランジスタ１６０１は電流経路内に直列接続しているため、供給されたインピーダンスによって静電電圧が分割される。これにより、ＥＳＤイベントが発生したためにプログラム可能な装置７５０を通過するエネルギーが低減されることで、エネルギーがプログラム可能な装置７５０の「飛ばし」動作に必要な電圧よりも低くなる。それ故に、プログラム可能な装置７５０が元の位置を維持でき、記録されているデータの正確性が保証される。
【００５３】
上述した第４回路１６０２の機能は任意の手段で達成できる。例えば、第４回路１６０２が第１ワイヤリードで実現され、第１ワイヤリードの両端がそれぞれ第１トランジスタ１６０１のゲートと接地電圧線とに接続している。さらに、ＥＳＤ保護ユニット７３０の実現は上述の方法に限定されるものではない。図１６Ｂは、本発明によるＥＳＤ保護機器７００の別の実施形態を図示する。図１６Ｂは図１６Ａと類似しているが、図１６Ｂでは、第１トランジスタ１６０３がＥＳＤ保護機器７３０内のＮ型トランジスタを実現している点が異なる。第４回路１６０４の機能は任意の手段により達成できる。例えば、第４回路１６０４が第１ワイヤリードにより実現され、第１ワイヤリードの両端がそれぞれ第１トランジスタ１６０３のゲートとパワー電圧線に接続している。第４回路に制御されていることにより、第１トランジスタ１６０３が「飛ばし」動作中に導通し、ＥＳＤイベントの最中に第１トランジスタ１６０３が高インピーダンスを提供する。
【００５４】
図１７Ａは、本発明による図７中のＥＳＤ保護機器７００の別の実施形態を図示する。図１７Ａを参照すると、第２回路７４０がワイヤリードによって実現され、ＥＳＤ保護ユニット７３０が第１トランジスタ１７０１、第２トランジスタ１７０５、第４回路１７０２によって実現され、プログラム可能な装置７５０がヒューズにより実現されており、ここで、例えば、第１トランジスタ１７０１と第２トランジスタ１７０５は、Ｐタイプトランジスタである。ヒューズを飛ばすべきか否かを決定するために、第１回路７２０と第３回路７６０を使用してプログラム可能な装置７５０をプログラムする。あるいは、第１回路７２０と第３回路７６０がプログラム可能な装置７５０の状態を読み取る。第１回路７２０と第１回路７６０の機能は当業者が考え得る任意の手段により達成できるため、第１回路７２０と第３回路７６０を実施する方法の詳細について説明する必要はない。第１トランジスタ１７０１と第２トランジスタ１７０５は、ゲートと第４回路１７０２を接続したＥＳＤ保護機器として利用する。第１トランジスタ１７０１と第２トランジスタ１７０５は、第１回路７２０とプログラム可能な装置７５０の間で直列接続している。
【００５５】
読み取り動作の最中に、第１トランジスタ１７０１と第２トランジスタ１７０５が第４回路１７０２の制御によって導通している。その一方で、第３回路７６０も読み取り動作の準備中に導通する。第１回路７２０が、プログラム可能な装置７５０の両端間の電圧降下を感知する。プログラム可能な装置７５０が飛んだ場合には、検出された電圧はパワーシステム７７０のレベルとは絶対に等しくない。プログラム可能な装置７５０が飛ばない場合は、検出された電圧はパワーシステム７７０のレベルと確実に近い。その後、第１回路７２０がこの検出された電圧を２次回路（図示せず）に供給して、読み取り動作が完了する。さらに、特別に必要であれば、第１トランジスタ１７０１と第２トランジスタ１７０５を第４回路１７０２の制御を介して切断することもできる。これにより、第１回路７２０は、プログラム可能な装置７５０（ここではプログラム可能な装置７５０は飛んでいない）が飛んだ情報をも感知できるようになり、次にこの情報を２次回路に出力する。
【００５６】
「飛ばし」動作の最中に、プログラム可能な装置７５０にパッド７１０を介して外圧が供給され、第１トランジスタ１７０１および第２トランジスタ１７０５が第４回路１７０２の制御を介して導通する。その一方で、第１回路７２０と第３回路７６０も書き込み動作の準備中に導通する。第１回路７２０、第１トランジスタ１７０１、第２トランジスタ１７０５および第３回路７６０が低インピーダンスを提供することにより、パッド７１０からパワーシステム７７０にまで電流経路が形成される。プログラム可能な装置７５０を電流が流れると熱が発生し、これによりプログラム可能な装置７５０が電線を飛ばして期待どおりにプログラムされる。
【００５７】
ＥＳＤイベントの最中に、第１トランジスタ１７０１と第２トランジスタ１７０５が、パッド７１０からパワーシステム７７０までの電流経路に高インピーダンスを提供する。第１トランジスタ１７０１と第２トランジスタ１７０５が電流経路内に直列接続しているため、この供給された高インピーダンスによって静電圧力が分割される。これにより、ＥＳＤイベントにより発生したためにプログラム可能な装置７５０を通過するエネルギーが低減されることで、エネルギーがプログラム可能な装置７５０の「飛ばし」動作に必要な電圧よりも低くなる。これゆえに、プログラム可能な装置７５０は元の状態を維持することができ、また、記録されているデータの正確性が保証される。
【００５８】
上述した第４回路１７０２の機能は任意の手段により達成される。例えば、第４回路１６０２は第１ワイヤリードと第２ワイヤリードによって実現され、第１ワイヤリードの両端が、それぞれ第１トランジスタ１７０１のゲートと接地電圧線に接続される。また、第２ワイヤリードの両端が、それぞれ第２トランジスタ１７０５のゲートと接地電圧線に接続している。
【００５９】
さらに、ＥＳＤ保護ユニット７３０の実現は上述の方法に限定されるものではない。図１７Ｂは、本発明によるＥＳＤ保護機器７００の別の実施形態を図示する。図１７Ｂは図１７Ａと類似しているが、図１７Ｂでは、第２トランジスタ１７０６がＥＳＤ保護ユニット７３０内のＮ型トランジスタを実現している点が異なる。第４回路１７０４の機能は任意の手段により達成できる。例えば、第４回路１７０４は第１ワイヤリードと第２ワイヤリードによって実現されており、この場合、第１ワイヤリードの両端は、それぞれ第１トランジスタ１７０１のゲートと接地電圧線に接続している。また、第２ワイヤリードの両端は、それぞれ第２トランジスタ１７０６のゲートと電圧線に接続している。第４回路１７０４によって制御されていることで、第１トランジスタ１７０１と第２トランジスタ１７０６は「飛ばし」動作中に導通し、また、ＥＳＤイベントの最中に、第１トランジスタ１７０１と第２トランジスタ１７０６が高インピーダンスを提供する。
【００６０】
図１７Ｃは、本発明によるＥＳＤ保護機器７００の別の実施形態を図示する。図１７Ｃは図１７Ａと類似しているが、図１７Ｃでは、第１トランジスタ１７０３と第２トランジスタ１７０６がＥＳＤ保護ユニット７３０内のＮ型トランジスタを実現している点が異なる。第４回路１７０７の機能は任意の手段により達成できる。例えば、第４回路１７０７が第１ワイヤリードと第２ワイヤリードで実現されており、この場合、第１ワイヤリードの両端は、それぞれ第１トランジスタ１７０３のゲートおよび接地電圧線に接続している。また、第２ワイヤリードの両端は、それぞれ第２トランジスタ１７０６のゲートおよびパワー電圧線に接続している。第４回路１７０７により制御されていることで、「飛ばし」の最中に第１トランジスタ１７０３と第２トランジスタ１７０６が導通し、ＥＳＤイベントの最中に第１トランジスタ１７０３と第２トランジスタ１７０６が高インピーダンスを提供する。
【００６１】
図１７Ｄは、本発明によるＥＳＤ保護機器７００の別の実施形態を図示する。図１７Ｄは図１７Ａと類似しているが、図１７Ｄでは、第１トランジスタ１７０３がＥＳＤ保護ユニット７３０内のＮ型トランジスタを実現している点が異なる。第４回路１７０８の機能は任意の手段で達成できる。例えば、第４回路１７０８が第１ワイヤリードおよび第２ワイヤリードで実現されており、この場合、第１ワイヤリードの両端はそれぞれ第１トランジスタ１７０３のゲートおよびパワー電圧線に接続している。また、第２ワイヤリードの両端は、それぞれ第２トランジスタ１７０５のゲートおよび接地電圧線に接続している。第４回路１７０８によって制御されていることにより、第１トランジスタ１７０３と第２トランジスタ１７０５が「飛ばし」動作の最中に導通し、ＥＳＤイベントの最中に第１トランジスタ１７０３と第２トランジスタが高インピーダンスを提供する。
【００６２】
図１８Ａは、本発明によるＥＳＤ保護機器７００の別の実施形態を示す。図１８Ａは図１６Ａと類似しているが、図１８Ａでは、ＥＳＤ保護ユニット７３０が第４回路１８０２、Ｐ型トランジスタ１８０１および１８０５を実現している点が異なる。第４回路１８０２によって制御されていることで、第１トランジスタ１８０１と第２トランジスタ１８０５が「飛ばし」動作の最中に導通し、ＥＳＤイベントの最中に、第１トランジスタ１８０１と第２トランジスタ１８０５が高インピーダンスを提供する。第４回路１８０２の機能は任意の手段により達成できる。例えば、第４回路１８０２が第１ワイヤリードおよび第２ワイヤリードにより実現するが、この場合、第１ワイヤリードの両端は、それぞれ第１トランジスタ１８０１のゲートおよび接地電圧線と接続している。また、第２ワイヤリードの両端は、それぞれ第２トランジスタ１８０５のゲートおよび接地電圧線と接続している。
【００６３】
図１８Ｂは本発明によるＥＳＤ保護機器７００の別の実施形態を図示する。図１８Ｂは図１８Ａと類似しているが、図１８Ｂでは第２トランジスタ１８０６がＥＳＤ保護ユニット７３０のＮ型トランジスタを実現している点が異なる。第４回路１８０４によって制御されていることで、第１トランジスタ１８０１と第２トランジスタ１８０６が「飛ばし」動作の最中に導通し、ＥＳＤイベントの最中に第１トランジスタ１８０１と第２トランジスタ１８０６が高インピーダンスを提供する。第４回路１８０４の機能は任意の手段によって達成できる。例えば、第４回路１８０４は第１ワイヤリードと第２ワイヤリードによって実現されるが、この場合第１ワイヤリードの両端はそれぞれ第１トランジスタ１８０１のゲートおよび接地電圧線と接続している。また、第２ワイヤリードの両端は、それぞれ第２トランジスタ１８０６のゲートおよびパワー電圧線と接続している。
【００６４】
図１８Ｃは、本発明によるＥＳＤ保護機器７００の別の実施形態を図示する。図１８Ｃは図１８Ａと類似しているが、図１８Ｃでは第１トランジスタ１８０３と第２トランジスタ１８０６がＥＳＤ保護ユニット７３０のＮ型トランジスタを実現している点が異なる。第４回路１８０７によって制御されていることで、第１トランジスタ１８０３と第２トランジスタ１８０６が「飛ばし」動作中に導通し、また、ＥＳＤイベントの最中に、第１トランジスタ１８０３と第２トランジスタ１８０６が高インピーダンスを提供する。第４回路１８０７の機能は任意の手段によって達成できる。例えば、第４回路１８０７は第１ワイヤリードと第２ワイヤリードによって実現されるが、この場合、第１ワイヤリードの両端はそれぞれ第１トランジスタ１８０３のゲートとパワー電圧線に接続している。また、第２ワイヤリードの両端は、それぞれ第２トランジスタ１８０６のゲートとパワー電圧線に接続している。
【００６５】
図１８Ｄは、本発明によるＥＳＤ保護機器７００の別の実施形態を図示している。図１８Ｄは図１８Ａと類似しているが、図１８Ｄでは、第１トランジスタ１８０３がＥＳＤ保護ユニット７３０内のＮ型トランジスタを実現している点が異なる。第４回路１８０８によって制御されていることにより、第１トランジスタ１８０３と第２トランジスタ１８０５が「飛ばし」動作中に導通し、また、ＥＳＤイベントの最中に、第１トランジスタ１８０３と第２トランジスタ１８０５が高インピーダンスを提供する。第４回路１８０８の機能は任意の手段により達成できる。例えば、第４回路１８０８が第１ワイヤリードと第２ワイヤリードにより実現されており、この場合、第１ワイヤリードの両端は、それぞれ第１トランジスタ１８０３のゲートとパワー電圧線に接続している。また、第２ワイヤリードの両端は、それぞれ第２トランジスタ１８０５のゲートと接地電圧線に接続している。
【００６６】
図１９Ａは、本発明によるＥＳＤ保護機器の別の実施形態を図示する。図１９Ａは図１１Ａと類似しているが、図１９Ａでは、ＥＳＤ保護ユニット７３０が第４回路１９０２、Ｐ型トランジスタ１９０１、１９０５を実現している点が異なる。第４回路１９０２によって制御されていることで、第１トランジスタ１９０１および第２トランジスタ１９０５が「飛ばし」動作中に導通し、ＥＳＤイベントの最中に第１トランジスタ１９０１と第２トランジスタ１９０５が高インピーダンスを提供する。第４回路１９０２の機能は任意の手段により達成できる。例えば、第４回路１９０２が第１ワイヤリードと第２ワイヤリードにより実現されており、この場合、第１ワイヤリードの両端はそれぞれ第１トランジスタ１９０１のゲートおよび接地電圧線に接続している。また、第２ワイヤリードの両端は、それぞれ第２トランジスタ１９０５のゲートおよび接地電圧ワイヤに接続している。
【００６７】
図１９Ｂは、本発明によるＥＳＤ保護機器７００の別の実施形態を図示する。図１９Ｂは図１９Ａと類似しているが、図１９Ｂでは、第２トランジスタ１９０６がＥＳＤ保護ユニット７３０内のＮ型トランジスタを実現している点が異なる。第４回路１９０４によって制御されていることで、第１トランジスタ１９０１と第２トランジスタ１９０６が「飛ばし」動作中に導通し、ＥＳＤイベントの最中に第１トランジスタ１９０１と第２トランジスタ１９０６が高インピーダンスを提供する。第４回路１９０４の機能は任意の手段で達成できる。例えば、第４回路１９０４が第１ワイヤリードと第２ワイヤリードにより実現されており、この場合、第１ワイヤリードの両端が、それぞれ第１トランジスタ１９０１のゲートおよび接地電圧線に接続している。また、第２ワイヤリードの両端が、それぞれ第２トランジスタ１９０６のゲートおよびパワー電圧線に接続している。
【００６８】
図１９Ｃは、本発明によるＥＳＤ保護機器７００の別の実施形態を図示する。図１９Ｃは図１９Ａと類似しているが、図１９Ｃでは、第１トランジスタ１９０３と第２トランジスタ１９０６がＥＳＤ保護ユニット７３０内のＮ型トランジスタを実現している点が異なる。第４回路１９０７によって制御されていることで、第１トランジスタ１９０３と第２トランジスタ１９０６が「飛ばし」動作中に導通し、ＥＳＤイベントの最中に第１トランジスタ１９０３と第２トランジスタ１９０６が高インピーダンスを提供する。第４回路１９０７の機能は任意の手段により達成される。例えば、第４回路１９０７は第１ワイヤリードと第２ワイヤリードにより実現されており、ここで、第１ワイヤリードの両端は、それぞれ第１トランジスタ１９０３のゲートおよびパワー電圧線に接続している。さらに、第２ワイヤの両端は、それぞれ第２トランジスタ１９０６のゲートおよびパワー電圧線に接続している。
【００６９】
図１９Ｄは、本発明によるＥＳＤ保護機器７００の別の実施形態を図示する。図１９Ｄは図１９Ａと類似しているが、図１９Ｄでは、第１トランジスタ１９０３がＥＳＤ保護ユニット７３０内のＮ型トランジスタを実現している点が異なる。第４回路１９０８によって制御されていることで、第１トランジスタ１９０３と第２トランジスタ１９０５が「飛ばし」動作中に導通し、ＥＳＤイベントの最中に第１トランジスタ１９０３と第２トランジスタ１９０５が高インピーダンスを提供する。第４回路１９０８の機能は任意の手段により達成できる。例えば、第４回路１９０８は第１ワイヤリードと第２ワイヤリードにより実現されており、ここで、第１ワイヤリードの両端は、それぞれ第１トランジスタ１９０３のゲートおよびパワー電圧線に接続している。また、第２ワイヤリードの両端は、それぞれ第２トランジスタ１９０５のゲートおよび接地電圧線に接続している。
【００７０】
図８は、本発明の実施形態によるプログラム可能な装置のためのＥＳＤ保護機器のブロック線図である。図８を参照すると、ＥＳＤ保護機器８００は第５回路８２０、プログラム可能な装置８３０、ＥＳＤ保護ユニット８４０、第６回路８５０を装備している。第５回路８２０の第１端部と第２端部は、それぞれプログラム可能な装置８３０の第１ノード８０１と第１端部に電気接続している。プログラム可能な装置は、プログラミング結果を記録するために使用される。ＥＳＤ保護ユニット８４０の第１端部は、プログラム可能な装置８３０の第２端部に電気接続している。第６回路８５０の第１端部と第２端部は、それぞれＥＳＤ保護ユニット８４０の第２端部と第２ノード８０２とに接続している。プログラム可能な装置８３０は、第５回路８２０と第６回路８５０によってプログラムされ、および/またはプログラム可能な装置８３０のプログラミング結果が第５回路８２０と第６回路８５０によって取得される。この実施形態では、第１ノード８０１と第２ノード８０２が、それぞれパッド８１０とパワーシステム８６０に電気接続している。パワーシステム８６０は、設計者の要求に従ってパワー電圧線、接地電圧線、またはその他であるする。
【００７１】
概して、従来型のＥＳＤ保護機器８１１は、常にパッド８１０の設計でパッド８１０に配置されており、この場所において、従来型のＥＳＤ保護機器８１１はパッド８１０（つまり第１ノード８０１）と結合している。ＥＳＤが発生すると、プログラム可能な装置８３０の両端の間の電圧降下を低減するために、ＥＳＤ保護ユニット８４０が高インピーダンスを提供し、これによりプログラム可能な装置８３０がＥＳＤイベントによって生じる障害から保護される。当然ながら、プログラム可能な装置８３０を流れる静電放電を低減するために、静電放電を従来型のＥＳＤ保護機器８１１を介して散逸することができる。
【００７２】
図２０Ａ〜図２５Ｄは、それぞれ本発明による図８内のＥＳＤ保護機器８００の複数の実施形態を図示する。図２０Ａを参照すると、この実施形態では、ＥＳＤ保護ユニット８４０は第１トランジスタ（ここではＰ型トランジスタ）２００１と第７回路２００２により実現され、プログラム可能な装置８３０はヒューズにより実現されている。プログラム可能な装置８３０は、ヒューズを飛ばすべきか否かを決定するために、第５回路８２０と第６回路８５０によってプログラムされている。あるいは、第５回路８２０と第６回路８５０がプログラム可能な装置８３０の状態を読み取る。第５回路８２０と第６回路８５０の機能は当業者が考え得る任意の手段によって達成できるため、第５回路８２０と第６回路８５０を実施する方法に不要となる詳細はない。第１トランジスタ２００１は、ゲートが第７回路２００２と接続し、ソースおよびドレインがそれぞれプログラム可能なユニット８３０および第６回路８５０と接続した状態で、ＥＳＤ保護機器として使用される。
【００７３】
読み取り動作の最中に、第１トランジスタ２００１は第７回路２００２の制御によって導通することができる。その一方で、第６回路８５０も読み取り動作の準備中に導通する。第５回路８２０が、プログラム可能な装置８３０の両端の間における電圧降下を感知する。プログラム可能な装置８３０が飛んだ場合、検出された電圧がパワーシステム８６０（例えば接地電圧）のレベルに近いことは決してない。プログラム可能な装置８３０が飛ばない場合には、検出された電圧は確実にパワーシステム８６０のレベルに近い。その後、第５回路８２０がこの検出された電圧を２次回路（図示せず）に供給して、読み取り動作が完了する。さらに、特に必要であれば、第１トランジスタ２００１を第７回路２００２の制御によって切断し、第５回路８２０が、プログラム可能な装置８３０が（プログラム可能な装置８３０は実際には飛んでいないが）飛んだ旨の情報を感知し、この情報を２次回路へ出力することもできる。
【００７４】
「飛ばし」動作の最中に、パッド８１０を介してプログラム可能な装置８３０に外圧が供給され、第１トランジスタ２００１が第７回路２００２の制御によって導通する。その一方で、第５回路８２０と第６回路８５０も書き込み動作の準備中に導通する。第５回路８２０、第６回路８５０、第１トランジスタ２００１が低インピーダンスを提供することで、パッド８１０からパワーシステム８６０にまで電流経路が形成される。プログラム可能な装置８３０に電流が流れると熱が発生し、これによりプログラム可能な装置８３０がワイヤを飛ばすことで期待どおりにプログラムされる。
【００７５】
ＥＳＤイベントの最中に、第１トランジスタ２００１が、パッド８１０からパワーシステム８６０までの電流経路に高インピーダンスを提供する。第１トランジスタ２００１は電流経路内に直列接続しているため、この供給された高いインピーダンスによって静電圧力が分割される。これにより、ＥＳＤイベントが発生したことでプログラム可能な装置８３０を通過するエネルギーが低減されるため、エネルギーをプログラム可能な装置８３０の「飛ばし」動作に必要な電圧よりも低くすることができる。それ故に、プログラム可能な装置８３０は元の状態を維持でき、記録されているデータの正確性が保証される。
【００７６】
上述した第７回路２００２の機能は任意の手段により達成できる。例えば、第７回路２００２は第１ワイヤリードにより実現され、第１ワイヤリードの両端は、それぞれ第１トランジスタ２００１のゲートおよび接地電圧線に接続している。さらに、ＥＳＤ保護ユニット８４０の実現は上述した方法に限定されるものではない。図２０Ｂは、本発明によるＥＳＤ保護機器８００の別の実施形態を図示する。図２０Ｂは図２０Ａと類似しているが、図２０Ｂでは、第１トランジスタ２００３がＥＳＤ保護ユニット８４０のＮ型トランジスタを実現している点が異なる。第７回路２００４によって制御されていることで、第１トランジスタ２００３が「飛ばし」動作中に導通し、ＥＳＤイベント中に第１トランジスタ２００３が高インピーダンスを提供する。第７回路２００４の機能は任意の手段で達成できる。例えば、第７回路２００４は第１ワイヤリードにより実現でき、第１ワイヤリードの両端は、それぞれ第１トランジスタ２００３のゲートおよびパワー電圧ワイヤと接続している。
【００７７】
図２１Ａは、本発明による図８中のＥＳＤ保護機器８００の実施形態を図示する。図２１Ａを参照すると、第５回路８２０がワイヤリードにより実現され、ＥＳＤ保護ユニット８４０が第１トランジスタ（ここではＰ型トランジスタと呼ぶ）２１０１と第７回路２１０２により実現され、プログラム可能な装置８３０はヒューズにより実現されている。プログラム可能な装置８３０は、ヒューズを飛ばすか否かを決定するために、第６回路８５０によってプログラミングされる。第６回路８５０の機能は当業者が考え得る任意の手段によって達成できるため、第５回路８２０と第６回路８５０を実施する方法について不必要な詳細は行わない。第１トランジスタ２１０１は、ゲートが第７回路２１０２と接続し、ソースおよびドレインがそれぞれプログラム可能な装置８３０および第６回路８５０と接続した状態で、ＥＳＤ保護機器として使用される。
【００７８】
読み取り動作の最中に、第１トランジスタ２１０１は第７回路２１０２の制御によって導通することができる。その一方で、感知回路（図示せず）の読み取り動作を促進するために、第６回路８５０を導通することもできる。さらに、特に必要であれば、第１トランジスタ２１０１を第７回路２１０２の制御によって切断することで、感知回路７２０（図示せず）がプログラム可能な装置８３０（実際にはプログラム可能な装置８３０は飛んでいないが）が飛んだ旨の情報を感知し、この情報を２次回路に出力できるようにすることも可能である。
【００７９】
「飛ばし」動作の最中に、パッド８１０を介してプログラム可能な装置８３０に外圧が供給され、第１トランジスタ２１０１が第７回路２１０２の制御によって導通する。その一方で、第６回路８５０も書き込み動作の準備中に導通する。第６回路８５０と第１トランジスタ２１０１の両方が低インピーダンスを提供することで、パッド８１０からパワーシステム８６０にまで電流経路が形成される。プログラム可能な装置８３０に電流が流れると熱が発生することで、プログラム可能な装置８３０がワイヤを飛ばして期待どおりにプログラムされる。
【００８０】
ＥＳＤイベントの最中に、第１トランジスタ２１０１が、パッド８１０からパワーシステム８６０までの電流経路に高インピーダンスを提供する。第１トランジスタ２１０１は電流経路内に直列接続しているため、この供給された高インピーダンスによって静電電圧が分割される。これにより、ＥＳＤイベントが発生したためにプログラム可能な装置８３０を通過するエネルギーが低減されるため、エネルギーをプログラム可能な装置８３０の「飛ばし」動作に必要な電圧よりも低くすることができる。それ故に、プログラム可能な装置８３０が元の状態を維持でき、記録されるデータの正確性が保証される。
【００８１】
上述した第７回路２１０２の機能は任意の手段により達成できる。例えば、第７回路２１０２は第１ワイヤリードにより実現され、第１ワイヤリードの両端は、それぞれ第１トランジスタ２１０１のゲートおよび接地電圧線に接続されている。さらに、ＥＳＤ保護ユニット８４０の実現は上述の方法に限定されるものではない。図２２Ｂは、本発明によるＥＳＤ保護機器８００の別の実施形態を図示する。図２２Ｂは図２２Ａと類似しているが、図２１Ｂでは、第１トランジスタ２１０３がＥＳＤ保護ユニット８４０内のＮ型トランジスタを実現している点が異なる。第７回路２１０４によって制御されていることで、第１トランジスタ２１０３が「飛ばし」動作中に導通し、ＥＳＤイベントの最中に第１トランジスタ２１０３が高インピーダンスを提供する。第７回路２１０４の機能は任意の手段により達成できる。例えば、第７回路２１０４は第１ワイヤリードにより達成され、第１ワイヤリードの両端は、それぞれ第１トランジスタ２１０３のゲートおよびパワー電圧線に接続している。
【００８２】
図２２Ａは、本発明による図８中のＥＳＤ保護機器８００の実施形態を図示する。図２２Ａを参照すると、第６回路８５０がワイヤリードにより実現され、ＥＳＤ保護ユニット８４０が第１トランジスタ（ここではＰ型トランジスタと呼ぶ）２２０１と第７回路２２０２により実現され、プログラム可能な装置８３０がヒューズにより実現されている。プログラム可能な装置８３０は第５回路８２０によって、ヒューズを飛ばすか否かを決定するようにプログラムされている。あるいは、第５回路８２０がプログラム可能な装置８３０の状態を読み取る。第５回路８２０の機能は当業者が考え得る任意の手段により達成できるため、ここでは第５回路８２０を実現する実施形態を図示しない。第１トランジスタ２２０１は、ゲートが第７回路２２０２と接続し、ソースおよびドレインがそれぞれプログラム可能な装置８３０およびパワーシステム８６０と接続した状態で、ＥＳＤ保護機器として使用される。
【００８３】
読み取り動作の最中に、第１トランジスタ２２０１は第７回路２２０２の制御により導通することができる。第５回路８２０が、プログラム可能な装置８３０の両端部の間における電圧降下を感知する。プログラム可能な装置８３０が飛んだ場合、検出された電圧はパワーシステム８６０（例えば接地電圧）のレベルと決して等しくない。プログラム可能な装置８３０が飛んでいない場合は、検出された電圧は確実にパワーシステム８６０のレベルに近い。その後、第５回路８２０が、この検出された電圧を２次回路（図示せず）に供給して、読み取り動作が完了する。さらに、特に必要であれば、第７回路２２０２の制御によって第１トランジスタ２２０１を切断することで、第５回路８２０が、プログラム可能な装置８３０（実際にはプログラム可能な装置８３０は飛んでいないが）が飛んだ旨の情報を感知し、この情報を２次回路へ出力できるようにすることも可能である。
【００８４】
「飛ばし」動作の最中に、パッド８１０を介してプログラム可能な装置８３０に外圧が供給され、第７回路２２０２の制御を介して第１トランジスタ２２０１が導通する。その一方で、第５回路８２０も書き込み動作の準備中に導通する。第５回路８２０と第１トランジスタ２２０１の両方が低インピーダンスを提供することにより、パッド８１０からパワーシステム８６０にまで電流経路が形成される。プログラム可能な装置８３０に電流が流れると熱が発生し、これによりプログラム可能な装置８３０がワイヤを飛ばして期待どおりにプログラムされる。
【００８５】
ＥＳＤイベントの最中、第１トランジスタ２２０１が、パッド８１０からパワーシステム８６０までの電流経路に高インピーダンスを提供する。第１トランジスタ２２０１は電流経路内に直列接続しているため、この供給された高インピーダンスによって静電電圧が分割される。これにより、ＥＳＤイベントが発生したためにプログラム可能な装置８３０を通過するエネルギーが低減され、これにより、エネルギーを、プログラム可能な装置８３０の「飛ばし」動作が必要とする電圧よりも低くすることができる。それ故に、プログラム可能な装置８３０を元の位置に維持でき、記録されるデータの正確性が保証される。
【００８６】
上述した第７回路２２０２の機能は任意の手段で達成できる。例えば、第７回路２２０２が第１ワイヤリードで実現され、第１ワイヤリードの両端が、それぞれ第１トランジスタ２２０１のゲートおよび接地電圧線に接続している。さらに、ＥＳＤ保護ユニット８４０の実現は上述した方法に限定されるものではない。図２２Ｂは、本発明によるＥＳＤ保護機器８００の別の実施形態を図示する。図２２Ｂは図２２Ａと類似しているが、図２２Ｂでは、第１トランジスタ２２０３がＥＳＤ保護ユニット８４０内のＮ型トランジスタを実現している点が異なる。第７回路２２０４によって制御されていることにより、第１トランジスタ２２０３が「飛ばし」動作中に導通し、ＥＳＤイベントの最中に第１トランジスタ２２０３が高インピーダンスを提供する。第７回路２２０４の機能は任意の手段により達成できる。例えば、第７回路２２０４は第１ワイヤリードにより実現され、第１ワイヤリードの両端は、それぞれ第１トランジスタ２２０３のゲートおよびパワー電圧線に接続している。
【００８７】
図２３Ａは、本発明によるＥＳＤ保護機器８００の別の実施形態を図示する。図２３Ａは図２０Ａと類似しているが、図２３Ａでは、ＥＳＤ保護ユニット８４０が第７回路２３０２、Ｐ型トランジスタ２３０１および２３０５を実現している点が異なる。第７回路２３０２によって制御されていることにより、第１トランジスタ２３０１と第２トランジスタ２３０５が「飛ばし」動作中に導通し、ＥＳＤイベントの最中に第１トランジスタ２３０１と第２トランジスタ２３０５が高インピーダンスを提供する。第７回路２３０２の機能は任意の手段により達成できる。例えば、第７回路２３０２は第１ワイヤリードと第２ワイヤリードにより実現されており、ここで、第１ワイヤリードの両端は、それぞれ第１トランジスタ２３０１のゲートおよび接地電圧線に接続している。また、第２ワイヤリードの両端は、それぞれ第２トランジスタ２３０５のゲートおよび接地電圧線に接続している。
【００８８】
図２３Ｂは、本発明によるＥＳＤ保護機器８００の別の実施形態を図示する。図２３Ｂは図２３Ａと類似するが、図２３Ｂでは第２ＥＳＤ保護ユニット２３０６がＥＳＤ保護ユニット８４０内のＮ型トランジスタを実現している点が異なる。第７回路２３０４によって制御されていることにより、第１トランジスタ２３０１と第２トランジスタ２３０６が「飛ばし」動作中に導通し、また、ＥＳＤイベントの最中に、第１トランジスタ２３０１と第２トランジスタ２３０６が高インピーダンスを提供する。第７回路２３０４の機能は任意の手段により達成できる。例えば、第７回路２３０４は第１ワイヤリードと第２ワイヤリードにより実現されており、ここで、第１ワイヤリードの両端は、それぞれ第１トランジスタ２３０１のゲートおよび接地電圧線に接続している。また、第２ワイヤリードの両端は、それぞれ第２トランジスタ２３０６のゲートおよびパワー電圧線に接続している。
【００８９】
図２３Ｃは、本発明によるＥＳＤ保護機器８００の別の実施形態を図示する。図２３Ｃは図２３Ａと類似しているが、図２３Ｃでは、第１トランジスタ２３０３と第２トランジスタ２３０６がＥＳＤ保護ユニット８４０内のＮ型トランジスタを実現している点が異なる。第７回路２３０７によって制御されていることにより、第１トランジスタ２３０３と第２トランジスタ２３０６が「飛ばし」動作中に導通し、ＥＳＤイベントの最中に第１トランジスタ２３０３と第２トランジスタ２３０６が高インピーダンスを提供する。第７回路２３０７の機能は任意の手段によって達成できる。例えば、第７回路２３０７は第１ワイヤリードと第２ワイヤリードにより実現されており、ここで、第１ワイヤリードの両端は、それぞれ第１トランジスタ２３０３のゲートおよびパワー電圧線に接続している。また、第２ワイヤリードの両端は、それぞれ第２トランジスタ２３０６のゲートおよびパワー電圧線に接続している。
【００９０】
図２３Ｄは、本発明によるＥＳＤ保護機器の別の実施形態を図示する。図２３Ｄは図２３Ａと類似しているが、図２３Ｄでは、第１トランジスタ２３０３がＥＳＤ保護ユニット８４０内のＮ型トランジスタを実現している点が異なる。第７回路２３０８で制御されていることにより、第１トランジスタ２３０３と第２トランジスタ２３０５が「飛ばし」動作中に導通し、ＥＳＤイベントの最中に第１トランジスタ２３０３と第２トランジスタ２３０５が高インピーダンスを提供する。第７回路２３０８の機能は任意の手段により達成できる。例えば、第７回路２３０８は第１ワイヤリードと第２ワイヤリードにより実現されており、ここで、第１ワイヤリードの両端は、それぞれ第１トランジスタ２３０３のゲートおよびパワー電圧線に接続している。また、第２ワイヤリードの両端は、それぞれ第２トランジスタ２３０５のゲートおよび接地電圧線に接続している。
【００９１】
図２４Ａは、本発明によるＥＳＤ保護機器８００の別の実施形態を図示する。図２４Ａは図２１Ａと類似しているが、図２４Ａでは、ＥＳＤ保護ユニット８４０が第７回路２４０２とＰ型トランジスタ２４０１、２４０５を実現している点が異なる。第７回路２４０２によって制御されていることにより、第１トランジスタ２４０１と第２トランジスタ２４０５が「飛ばし」動作中に導通し、ＥＳＤイベントの最中に第１トランジスタ２４０１と第２トランジスタ２４０５が高インピーダンスを提供する。第７回路２４０２の機能は任意の手段により達成できる。例えば、第７回路２４０２は第１ワイヤリードと第２ワイヤリードにより実現でき、ここで、第１ワイヤリードの両端は、それぞれ第１トランジスタ２４０１のゲートおよび接地電圧線に接続している。また、第２ワイヤリードの両端は、それぞれ第２トランジスタ２４０５のゲートおよび接地電圧線に接続している。
【００９２】
図２４Ｂは、本発明によるＥＳＤ保護機器８００の別の実施形態を図示する。図２４Ｂは図２４Ａと類似しているが、図２４Ｂでは、第２トランジスタ２４０６がＥＳＤ保護ユニット８４０内のＮ型トランジスタを実現している点が異なる。第７回路２４０４によって制御されていることにより、第１トランジスタ２４０１と第２トランジスタ２４０６が「飛ばし」動作中に導通し、ＥＳＤイベントの最中に第１トランジスタ２４０１と第２トランジスタ２０４６が高インピーダンスを提供する。第７回路２４０４の機能は任意の手段により達成できる。例えば、第７回路２４０４が第１ワイヤリードと第２ワイヤリードで実現し、ここで、第１ワイヤリードの両端は、それぞれ第１トランジスタ２４０１のゲートおよび接地電圧線に接続している。また、第２ワイヤリードの両端は、それぞれ第２トランジスタ２４０６のゲートおよびパワー電圧線に接続している。
【００９３】
図２４Ｃは、本発明によるＥＳＤ保護機器８００の別の実施形態を図示する。図２４Ｃは図２４Ａと類似しているが、図２４Ｃでは、第１トランジスタ２４０３と第２トランジスタ２４０６がＥＳＤ保護ユニット８４０内のＮ型トランジスタを実現している点で異なる。第７回路２４０７によって制御されていることにより、第１トランジスタ２４０３と第２トランジスタ２４０６が「飛ばし」動作中に導通し、ＥＳＤイベントの最中に、第１トランジスタ２４０３と第２トランジスタ２４０６が高インピーダンスを提供する。第７回路２４０７の機能は任意の手段により達成できる。例えば、第７回路２４０７は第１ワイヤリードと第２ワイヤリードにより実現されており、ここで、第１ワイヤリードの両端は、それぞれ第１トランジスタ２４０３のゲートおよびパワー電圧線に接続している。また、第２ワイヤリードの両端は、それぞれ第２トランジスタ２４０６のゲートおよびパワー電圧線に接続している。
【００９４】
図２４Ｄは、本発明によるＥＳＤ保護機器８００の別の実施形態を図示している。図２４Ｄは図２４Ａと類似しているが、図２４Ｄでは第１トランジスタ２４０３がＥＳＤ保護ユニット８４０内のＮ型トランジスタを実現している点が異なる。第７回路２４０８によって制御されていることにより、第１トランジスタ２４０３と第２トランジスタ２４０５が「飛ばし」動作中に導通し、ＥＳＤイベントの最中に第１トランジスタ２４０３と第２トランジスタ２４０５が高インピーダンスを提供する。第７回路２４０８の機能は任意の手段により達成できる。例えば、第７回路２４０８が第１ワイヤリードと第２ワイヤリードにより実現されており、ここで、第１ワイヤリードの両端は、それぞれ第１トランジスタ２４０３のゲートおよびパワー電圧線に接続している。また、第２ワイヤリードの両端は、それぞれ第２トランジスタ２４０５のゲートおよび接地電圧線に接続している。
【００９５】
図２５Ａは、本発明によるＥＳＤ保護機器８００の別の実施形態である。図２５Ａは図２２Ａと類似しているが、図２５Ａでは、ＥＳＤ保護ユニット８４０が第７回路２５０２、Ｐ型トランジスタ２５０１、２５０５を実現している点が異なる。第７回路２５０２によって制御されていることにより、第１トランジスタ２５０１と第２トランジスタ２５０５が「飛ばし」動作中に導通し、ＥＳＤイベントの最中に第１トランジスタ２５０１と第２トランジスタ２５０５が高インピーダンスを提供する。第７回路２５０２の機能は任意の手段により達成できる。例えば、第７回路２５０２は第１ワイヤリードと第２ワイヤリードにより実現されており、ここで、第１ワイヤリードの両端は、それぞれ第１トランジスタ２５０１のゲートおよび接地電圧線に接続している。また、第２ワイヤリードの両端は、それぞれ第２トランジスタ２５０５のゲートおよび接地電圧線に接続している。
【００９６】
図２５Ｂは、本発明によるＥＳＤ保護機器８００の別の実施形態を図示する。図２５Ｂは図２５Ａと類似しているが、図２５Ｂでは、第２トランジスタ２５０６がＥＳＤ保護ユニット８４０内のＮ型トランジスタを実現している点が異なる。第７制御回路２５０４により制御されていることにより、第１トランジスタ２５０１と第２トランジスタ２５０６が「飛ばし」動作中に導通し、ＥＳＤイベントの最中に、第１トランジスタ２５０１と第２トランジスタ２５０６が高インピーダンスを提供する。第７回路２５０４の機能は任意の手段により達成できる。例えば、第７回路２５０４は第１ワイヤリードと第２ワイヤリードにより実現されており、ここで、第１ワイヤリードの両端は、それぞれ第１トランジスタ２５０１のゲートおよび接地電圧線に接続している。また、第２ワイヤリードの両端は、それぞれ第２トランジスタ２５０６のゲートおよびパワー電圧線に接続している。
【００９７】
図２５Ｃは、本発明によるＥＳＤ保護機器８００の別の実施形態を図示する。図２５Ｃと図２５Ａは類似しているが、図２５Ｃでは、第１トランジスタ２５０３と第２トランジスタ２５０６がＥＳＤ保護ユニット８４０内のＮ型トランジスタを実現している点が異なる。第７回路２５０７で制御されていることにより、第１トランジスタ２５０３と第２トランジスタ２５０６が「飛ばし」中に導通し、ＥＳＤイベントの最中に第１トランジスタ２５０３と第２トランジスタ２５０６が高インピーダンスを提供する。第７回路２５０７の機能は任意の手段で達成できる。例えば、第７回路２５０７は第１ワイヤリードと第２ワイヤリードにより実現されており、ここで、第１ワイヤリードの両端はそれぞれ第１トランジスタ２５０３のゲートおよびパワー電圧線に接続している。第２ワイヤリードの両端は、それぞれ第２トランジスタ２５０６のゲートおよびパワー電圧線に接続している。
【００９８】
図２５Ｄは、本発明によるＥＳＤ保護機器８００の別の実施形態を図示している。図２５Ｄは図２５Ａと類似しているが、図２５Ｄでは、第１トランジスタ２５０３がＥＳＤ保護ユニット８４０内のＮ型トランジスタを実現している点が異なる。第７回路２５０８によって制御されていることにより、第１トランジスタ２５０３と第２トランジスタ２５０５が「飛ばし」動作中に導通し、ＥＳＤイベントの最中に、第１トランジスタ２５０３と第２トランジスタ２５０５が高インピーダンスを提供する。第７回路２５０８の機能は任意の手段により達成できる。例えば、第７回路２５０８は第１ワイヤリードと第２ワイヤリードで実現されており、ここで、第１ワイヤリードの両端は、それぞれ第１トランジスタ２５０３のゲートおよびパワー電圧線に接続している。また、第２ワイヤリードの両端は、それぞれ第２トランジスタ２５０５のゲートおよび接地電圧線に接続している。
【００９９】
図９は、本発明の実施形態によるプログラム可能な装置のためのＥＳＤ保護機器９００のブロック線図である。図９を参照すると、ＥＳＤ保護機器９００は第８回路９２０、第９回路９６０、第１ＥＳＤ保護ユニット９３０、第２ＥＳＤ保護ユニット９５０、プログラム可能な装置９４０を装備している。この実施形態では、第１ノード９０１と第２ノード９０２が、それぞれパッド９１０とパワーシステム９７０に電気接続している。パワーシステム９７０は、パワー電圧線、接地電圧線、または設計者が必要に応じて設けるその他であるとする。
【０１００】
第８回路９２０の第１端部と第２端部は、それぞれ第１ノード９０１と第１ＥＳＤ保護ユニット９３０の第１端部に電気接続している。プログラム可能な装置９４０は、その第１端部および第２端部がそれぞれ第１ＥＳＤ保護ユニット９３０の第２端部と第２ＥＳＤ保護ユニット９５０の第１端部と電気接続した状態で、プログラミング結果を記録するために使用される。第９回路９６０の第１端部と第２端部は、それぞれ、第２ＥＳＤ保護ユニット９５０の第２端部と第２ノード９０２に電気接続している。プログラム可能な装置９４０は第８回路９２０と第９回路９６０によってプログラムされ、および/または、プログラム可能な装置９４０のプログラミング結果が第８回路９２０と第９回路９６０を取得する。
【０１０１】
概して、従来のＥＳＤ保護機器９１１は常にパッド９１０の設計でパッド９１０に配置されており、ここでは、従来のＥＳＤ保護機器９１１がパッド９１０（つまり第１ノード９０１）と結合している。ＥＳＤが発生すると、プログラム可能な装置９４０の両端の間における電圧降下を低減するために、第１ＥＳＤ保護ユニット９３０と第２ＥＳＤ保護ユニット９５０が高インピーダンスを提供することで、プログラム可能な装置９４０が、ＥＳＤイベントにより発生が推測される障害から保護される。当然ながら、従来のＥＳＤ保護機器９１１を介して静電放電を散逸し、プログラム可能な装置９４０を流れる静電放電を低減することができる。
【０１０２】
図２６Ａ〜図２８Ｄは、本発明による図９のＥＳＤ保護機器９００の複数の実施形態をそれぞれ図示している。図２６Ａを参照すると、この実施形態では、第１ＥＳＤ保護ユニット９３０が第１トランジスタ（ここではＰ型トランジスタと呼ぶ）２６０１により実現され、第２ＥＳＤ保護ユニット９５０が第２トランジスタ（ここではＰ型トランジスタ）２６０５で実現され、プログラム可能な装置９４０がヒューズで実現されている。第１０回路２６０２は第１トランジスタ２６０１と第２トランジスタ２６０５を制御する。プログラム可能な装置９４０は、ヒューズを飛ばすか否かを決定するために、第８回路９２０と第９回路９６０によってプログラムされる。あるいは、第８回路９２０と第９回路９６０が、プログラム可能な装置９４０の状態を読み取る。第８回路９２０と第９回路９６０は、当業者が考え得る任意の手段により実現できるため、第８回路９２０と第９回路９６０を実施する方法については不必要な詳細はない。第１トランジスタ２６０１と第２トランジスタ２６０５は、ゲートが第１０回路２６０２と接続した状態でＥＳＤ保護機器として使用される。第１トランジスタ２６０１のソースおよびドレインは、それぞれ第８回路９２０とプログラム可能な装置９４０に接続している。第２トランジスタ２６０５のソース及びドレインは、それぞれプログラム可能な装置９４０と第９回路９６０に接続している。
【０１０３】
読み取り動作の最中に、第１トランジスタ２６０１と第２トランジスタ２６０５が、第１０回路２６０２の制御によって導通する。その一方で、第９回路９６０も読み取り動作の準備中に導通する。第８回路９２０が、プログラム可能な装置９４０の両端の間における電圧降下を感知する。プログラム可能な装置９４０が飛んだ場合には、検出された電圧はパワーシステム９７０（例えば接地電圧）のレベルに決して近くない。プログラム可能な装置９４０が飛んでいない場合は、検出された電圧はパワーシステム９７０のレベルに確実に近い。その後、第８回路９２０がこの検出された電圧を２次回路（図示せず）に供給して、読み取り動作が完了する。さらに、特に必要であれば、第１トランジスタ２６０１と第２トランジスタ２６０５を第１０回路２６０２の制御によって切断することで、第８回路９２０が、プログラム可能な装置９４０（プログラム可能な装置９４０は実際には飛んでいないが）飛んだ旨の情報を感知でき、この情報を２次回路に出力できるようにすることも可能である。
【０１０４】
「飛ばし」動作の最中に、外圧がパッド９１０を介してプログラム可能な装置９４０に供給され、第１トランジスタ２６０１と第２トランジスタ２６０５が第１０回路２６０２の制御を介して導通する。その一方で、第８回路９２０と第９回路９６０も書き込み動作の準備中に導通する。第８回路９２０、第９回路９６０、第１トランジスタ２６０１、第２トランジスタ２６０５が低インピーダンスを提供することにより、パッド９１０からパワーシステム９７０にまで電流経路が形成される。プログラム可能な装置９４０を電流が流れると熱が発生するので、プログラム可能な装置９４０がワイヤを飛ばして期待通りプログラムされる。
【０１０５】
ＥＳＤイベントの最中に、第１トランジスタ２６０１と第２トランジスタ２６０５が、パッド９１０からパワーシステム９７０までの電流経路に高インピーダンスを提供する。第１トランジスタ２６０１と第２トランジスタ２６０５は電流経路内に直列接続しているため、供給された高インピーダンスによって静電圧力が分割される。これにより、ＥＳＤイベントの発生のためにプログラム可能な装置９４０を通過するエネルギーが低減されるので、エネルギーを、プログラム可能な装置９４０の「飛ばし」動作に必要な電圧よりも低くすることができる。それ故に、プログラム可能な装置９４０が元の状態を維持でき、記録されているデータの正確性が保証される。
【０１０６】
第１０回路２６０２の機能は任意の手段で達成できる。例えば、第１０回路２６０２が第１ワイヤリードで実現され、第１ワイヤの両端は、それぞれ第１トランジスタ２６０１のゲートと接地電圧線に接続している。また、第２ワイヤリードの両端は、それぞれ第２トランジスタ２６０５のゲートおよび接地電圧線に接続している。さらに、ＥＳＤ保護ユニット９３０、９５０の実現は上述した方法に限定されるものではない。
【０１０７】
図２６Ｂは、本発明によるＥＳＤ保護機器９００の別の実施形態を図示している。図２６Ｂは図２６Ａと類似しているが、図２６Ｂでは、第１トランジスタ２６０３がＥＳＤ保護ユニット９３０内のＮ型トランジスタを実現している点が異なる。第１０回路２６０４により制御されていることで、第１トランジスタ２６０３と第２トランジスタ２６０５が「飛ばし」動作中に導通し、また、ＥＳＤイベントの最中に第１トランジスタ２６０３と第２トランジスタ２６０５が高インピーダンスを提供する。第１０回路２６０４の機能は任意の手段で達成できる。例えば、第１０回路２６０４が第１ワイヤリードと第２ワイヤリードで実現されており、ここで、第１ワイヤリードの両端が、それぞれ第１トランジスタ２６０３のゲートとパワー電圧線に接続し、第２ワイヤリードの両端が、それぞれ第２トランジスタ２６０５のゲートと接地電圧線に接続している。
【０１０８】
図２６Ｃは、本発明によるＥＳＤ保護機器９００の別の実施形態を図示している。図２６Ｃは図２６Ａに類似しているが、図２６Ｃでは、第１トランジスタ２６０３と第２トランジスタ２６０６がＥＳＤ保護ユニット９３０内のＮ型トランジスタを実現している点が異なる。第１０回路２６０７によって制御されていることにより、第１トランジスタ２６０３と第２トランジスタ２６０６が「飛ばし」動作中に導通し、ＥＳＤイベントの最中に第１トランジスタ２６０３と第２トランジスタ２６０６が高インピーダンスを提供する。第１０回路２６０７の機能は任意の手段で達成できる。例えば、第１０回路２６０７が第１ワイヤリードと第２ワイヤリードにより実現されており、ここで、第１ワイヤリードの両端が、それぞれ第１トランジスタ２６０３のゲートとパワー電圧線に接続し、第２ワイヤリードの両端が、それぞれ第２トランジスタ２６０６のゲートとパワー電圧線に接続している。
【０１０９】
図２６Ｄは、本発明によるＥＳＤ保護機器９００の別の実施形態を図示している。図２６Ｄは図２６Ａと類似しているが、図２６Ｄでは、第２トランジスタ２６０６が第２ＥＳＤ保護ユニット９３０内のＮ型トランジスタを実現している点が異なる。第１０回路２６０８によって制御されていることにより、第１トランジスタ２６０１と第２トランジスタ２６０６が「飛ばし」動作中に導通し、ＥＳＤイベントの最中に第１トランジスタ２６０１と第２トランジスタ２６０６が高インピーダンスを提供する。第１０回路２６０８の機能は任意の手段で達成できる。例えば、第１０回路２６０８は第１ワイヤリードと第２ワイヤリードにより実現されており、ここで、第１ワイヤリードの両端は、それぞれ第１トランジスタ２６０１のゲートおよび接地電圧線に接続され、第２ワイヤリードの両端は、それぞれ第２トランジスタ２６０６のゲートおよびパワー電圧線に接続している。
【０１１０】
図２７Ａは、本発明による図９中のＥＳＤ保護機器９００の別の実施形態を図示している。この実施形態の図２７Ａを参照すると、第８回路９２０がワイヤリードで実現されており、第１ＥＳＤ保護ユニット９３０が第１トランジスタ（ここではＰ型トランジスタと呼ぶ）２７０１により実現され、第２ＥＳＤ保護ユニット９５０が第２トランジスタ（ここではＰ型トランジスタと呼ぶ）２７０５により実現され、プログラム可能な装置９４０がヒューズにより実現されている。第１０回路２７０２は第１トランジスタ２７０１と第２トランジスタ２７０５を制御する。プログラム可能な装置９４０は、ヒューズを飛ばすか否かを決定するために、第９回路９６０によってプログラムされる。第９回路９６０の機能は当業者が考え得る任意の方法で実現できるため、第９回路９６０を実施する方法についての不要な詳細は行わない。第１トランジスタ２７０１と第２トランジスタ２７０５は、そのゲートが第１０回路２７０２と接続した状態でＥＳＤ保護機器として使用される。第１トランジスタ２７０１のソースとドレインは、それぞれパッド９１０とプログラム可能な装置９４０に接続しており、第２トランジスタ２７０５のソースとドレインは、それぞれプログラム可能な装置９４０と第９回路９６０に接続している。
【０１１１】
読み取り動作の最中に、第１トランジスタ２７０１と第２トランジスタ２７０５が、第１０回路２７０２の制御によって導通することができる。その一方で、第９回路９６０も感知回路（図示せず）の読み取り動作促進するために導通する。さらに、特に必要であれば、第１トランジスタ２７０１と第２トランジスタ２７０５を第１０回路２７０２の制御によって切断することで、感知回路（図示せず）が、プログラム可能な装置９４０（実際にはプログラム可能な装置は飛んでいないが）が飛んだ旨の情報を感知し、この情報を２次回路へ出力できるようにすることも可能である。
【０１１２】
「飛ばし」動作中に、プログラム可能な装置９４０にパッド９１０を介して外圧が供給され、第１トランジスタ２７０１と第２トランジスタ２７０５が第１０回路２７０２の制御を介して導通する。その一方で、第９回路９６０も書き込み動作の準備中に導通する。第９回路９６０、第１トランジスタ２７０１、第２トランジスタ２７０５の全てが低インピーダンスを提供することで、パッド９１０からパワーシステム９７０にまで電流経路が形成される。プログラム可能な装置９４０に電流が流れると熱が発生することにより、プログラム可能な装置９４０がワイヤを飛ばし、期待通りにプログラミングされる。
【０１１３】
ＥＳＤイベントの最中に、第１トランジスタ２７０１と第２トランジスタ２７０５が、パッド９１０からパワーシステム９７０までの電流経路に高インピーダンスを提供する。第１トランジスタ２７０１と第２トランジスタ２７０５が電流経路内に直列接続しているため、供給された高インピーダンスによって静電圧力が分割される。これにより、ＥＳＤイベントが生じたことでプログラム可能な装置９４０を通過するエネルギーを低減できるため、エネルギーを、プログラム可能な装置９４０の「飛ばし」動作に必要な電圧よりも低くすることができる。それ故に、プログラム可能な装置９４０が元の状態を維持でき、記録されているデータの正確性が保証される。
【０１１４】
上述した第１０回路２７０２の機能は任意の手段で達成できる。例えば、第１０回路２７０２が第１ワイヤリードと第２ワイヤリードにより実現されており、ここで、第１ワイヤリードの両端は、それぞれ第１トランジスタ２７０１のゲートおよび接地電圧線に接続している。第２ワイヤリードの両端は、それぞれ第２トランジスタ２７０５のゲートおよび接地電圧線に接続している。さらに、ＥＳＤ保護ユニット９３０、９５０の実現は上述の方法に限定されるものではない。
【０１１５】
図２７Ｂは、本発明によるＥＳＤ保護機器９００の別の実施形態を図示している。図２７Ｂは図２７Ａと類似しているが、図２７Ｂでは、第１トランジスタ２７０３がＥＳＤ保護ユニット９３０のＮ型トランジスタを実現している点が異なる。第１０回路２７０４によって制御されていることにより、第１トランジスタ２７０３と第２トランジスタ２７０５が「飛ばし」動作中に導通し、ＥＳＤイベントの最中に、第１トランジスタ２７０３と第２トランジスタ２７０５が高インピーダンスを提供する。第１０回路２７０４の機能は任意の方法で達成できる。例えば、第１０回路２７０４は第１ワイヤリードと第２ワイヤリードにより実現されており、ここで、第１ワイヤリードの両端は、それぞれ第１トランジスタ２７０３のゲートおよびパワー電圧線に接続し、第２ワイヤリードの両端は、それぞれ第２トランジスタ２７０５のゲートおよび接地電圧線に接続している。
【０１１６】
図２７Ｃは、本発明によるＥＳＤ保護機器９００の別の実施形態を図示している。図２７Ｃは図２７Ａと類似しているが、図２７Ｃでは、第１トランジスタ２７０３と第２トランジスタ２７０６がＥＳＤ保護ユニット９３０内のＮ型トランジスタを実現している点が異なる。第１０回路２７０７によって制御されていることで、第１トランジスタ２７０３と第２トランジスタ２７０６が「飛ばし」動作中に導通し、ＥＳＤイベントの最中に、第１トランジスタ２７０３と第２トランジスタ２７０６が高インピーダンスを提供することができる。第１０回路２７０７の機能は任意の手段により達成できる。例えば、第１０回路２７０７は第１ワイヤリードと第２ワイヤリードによって実現されており、ここで、第１ワイヤリードの両端は、それぞれ第１トランジスタ２７０３のゲートおよびパワー電圧線に接続し、第２ワイヤリードの両端は、それぞれ第２トランジスタ２７０６のゲートおよびパワー電圧線に接続している。
【０１１７】
図２７Ｄは、本発明によるＥＳＤ保護機器９００の別の実施形態を図示している。図２７Ｄは図２７Ａと類似しているが、図２７Ｄでは、第２トランジスタ２７０６が第２ＥＳＤ保護ユニット９５０内のＮ型トランジスタを実現している点が異なる。第１０回路２７０８によって制御されていることで、第１トランジスタ２７０１と第２トランジスタ２７０６が「飛ばし」中に導通し、ＥＳＤイベントの最中に、第１トランジスタ２７０１と第２トランジスタ２７０６が高インピーダンスを提供する。第１０回路２７０８の機能は任意の手段で達成できる。例えば、第１０回路２７０８は第１ワイヤリードと第２ワイヤリードにより実現されており、ここで、第１ワイヤリードの両端は、それぞれ第１トランジスタ２７０１のゲートおよび接地電圧線に接続し、第２ワイヤリードの両端は、それぞれ第２トランジスタ２７０６のゲートおよびパワー電圧線に接続している。
【０１１８】
図２８Ａは、本発明による図９中のＥＳＤ保護機器９００の別の実施形態を図示している。図２８Ａを参照すると、この実施形態では、第９回路９６０がワイヤリードにより実現され、第１ＥＳＤ保護ユニット９３０が第１トランジスタ（ここではＰ型トランジスタと呼ぶ）２８０１により実現され、第２ＥＳＤ保護ユニット９５０が第２トランジスタ（ここではＰ型トランジスタと呼ぶ）２８０５により実現され、プログラム可能な装置９４０がヒューズにより実現されている。第１０回路２８０２は、第１トランジスタ２８０１と第２トランジスタ２８０５を制御する。プログラム可能な装置９４０は、ヒューズを飛ばすべきか否かを決定するために、第８回路９２０によってプログラムされる。あるいは、第８回路９２０がプログラム可能な装置９４０の状態を読み取る。第８回路９２０は、当業者が考え得る任意の手段により達成できるため、ここでは、第８回路９２０を実現する実施形態を図示しない。第１トランジスタ２８０１と第２トランジスタ２８０５は、そのゲートが第１０回路２８０２と接続した状態で、ＥＳＤ保護機器として使用される。第１トランジスタ２８０１のソースとドレインは、それぞれ第８回路９２０とプログラム可能な装置９４０に接続し、第２トランジスタ２７０５のソースとドレインは、それぞれプログラム可能な装置９４０とパワーシステム９７０に接続している。
【０１１９】
読み取り動作の最中に、第１トランジスタ２８０１と第２トランジスタ２８０５が、第１０回路２８０２の制御によって導通できる。第８回路９２０が、プログラム可能な装置９４０の両端の間における電圧降下を感知する。プログラム可能な装置９４０が飛んだ場合には、検出された電圧はパワーシステム９７０のレベルに近いものでは決してない。プログラム可能な装置９４０が飛ばない場合は、検出された電圧はパワーシステム９７０のレベルに確実に近い。その後、第８回路９２０が、この検出された電圧を２次回路（図示せず）に供給して、読み取り動作が完了する。さらに、特に必要であれば、第１トランジスタ２８０１と第２トランジスタ２８０５を第１０回路２８０２の制御を介して切断することで、第８回路９２０が、プログラム可能な装置９４０（実際にはプログラム可能な装置９４０は飛んでいないが）飛んだ旨の情報を感知し、この情報を２次回路へ出力できるようにすることも可能である。
【０１２０】
「飛ばし」動作の最中に、パッド９１０を介してプログラム可能な装置９４０に外圧が供給され、第１トランジスタ２８０１と第２トランジスタ２８０５が第１０回路２８０２の制御を介して導通する。その一方で、第８回路９２０も書き込み動作の準備中に導通する。第８回路９２０、第１トランジスタ２８０１、第２トランジスタ２８０５の全てが低インピーダンスを提供することにより、パッド９１０からパワーシステム９７０にまで電流経路が形成される。プログラム可能な装置９４０に電流が流れると熱が発生することにより、プログラム可能な装置９４０がワイヤを飛ばすことで期待どおりにプログラムされる。
【０１２１】
ＥＳＤイベントの最中に、第１トランジスタ２８０１と第２トランジスタ２８０５が、パッド９１０からパワーシステム９７０までの電流経路に高インピーダンスを提供する。第１トランジスタ２８０１と第２トランジスタ２８０５は電流経路内に直列接続しているため、供給された高インピーダンスによって静電電圧が分割される。これにより、ＥＳＤイベントの発生のためにプログラム可能な装置９４０を通過するエネルギーが低減されることで、エネルギーを、プログラム可能な装置９４０の「飛ばし」動作に必要な電圧よりも低くすることができる。それ故に、プログラム可能な装置９４０が元の状態を維持でき、記録されているデータの正確性が保証される。
【０１２２】
上述した第１０回路２８０２の機能は任意の手段で達成できる。例えば、第１０回路２８０２が第１ワイヤリードと第２ワイヤリードで実現されており、ここで、第１ワイヤリードの両端は、それぞれ第１トランジスタ２８０１のゲートおよび接地電圧線に接続している。第２ワイヤリードの両端は、それぞれ第２トランジスタ２８０５のゲートおよび接地電圧線に接続している。さらに、ＥＳＤ保護ユニット９３０、９５０の実現は、上述した方法に限定されるものではない。
【０１２３】
図２８Ｂは、本発明によるＥＳＤ保護機器９００の別の実施形態を図示している。図２８Ｂは図２８Ａと類似しているが、図２８Ｂでは、第１トランジスタ２８０３がＥＳＤ保護ユニット９３０内のＮ型トランジスタを実現している点が異なる。第１０回路２８０４によって制御されていることにより、第１トランジスタ２８０３と第２トランジスタ２８０５が「飛ばし」動作中に導通し、ＥＳＤイベントの最中に、第１トランジスタ２８０３と第２トランジスタ２８０５が高インピーダンスを提供する。第１０回路２８０４の機能は任意の手段により達成できる。例えば、第１０回路２８０４は第１ワイヤリードと第２ワイヤリードによって実現されており、ここで、第１ワイヤリードの両端は、それぞれ第１トランジスタ２８０３のゲートおよびパワー電圧線と接続し、第２ワイヤリードの両端は、それぞれ第２トランジスタ２８０５のゲートおよび接地電圧線に接続している。
【０１２４】
図２８Ｃは、本発明によるＥＳＤ保護機器９００の別の実施形態を図示している。図２８Ｃは図２８Ａと類似しているが、図２８Ｃでは、第１トランジスタ２８０３と第２トランジスタがＥＳＤ保護ユニット９３０のＮ型トランジスタを実現している点が異なる。第１０回路２８０７によって制御されていることで、第１トランジスタ２８０３と第２トランジスタ２８０６が「飛ばし」動作中に導通し、ＥＳＤイベントの最中に、第１トランジスタ２８０３と第２トランジスタ２８０６が高インピーダンスを提供する。第１０回路２８０７の機能は任意の手段により達成できる。例えば、第１０回路２８０７は第１ワイヤリードと第２ワイヤリードにより実現されており、ここで第１ワイヤリードの両端は、それぞれ第１トランジスタ２８０３のゲートおよびパワー電圧線と接続し、第２ワイヤリードの両端は、それぞれ第２トランジスタ２８０６のゲートおよびパワー電圧線と接続している。
【０１２５】
図２８Ｄは、本発明によるＥＳＤ保護機器９００の別の実施形態を図示している。図２８Ｄは図２８Ａと類似しているが、図２８Ｄでは、第２トランジスタ２８０６が第２ＥＳＤ保護ユニット９３０内のＮ型トランジスタを実現している点が異なる。第１０回路２８０８によって制御されていることで、第１トランジスタ２８０１と第２トランジスタ２８０６が「飛ばし」動作中に導通し、ＥＳＤイベントの最中に、第１トランジスタ２８０１と第２トランジスタ２８０６が高インピーダンスを提供する。第１０回路２８０８の機能は任意の手段により達成できる。例えば、第１０回路２８０８は第１ワイヤリードと第２ワイヤリードにより実現されており、ここで、第１ワイヤリードの両端は、それぞれ第１トランジスタ２８０１のゲートおよび接地電圧線と接続し、第２ワイヤリードの両端は、それぞれ第２トランジスタ２８０６のゲートおよびパワー電圧線と接続している。
【０１２６】
図２９は、本発明による図７中のＥＳＤ保護機器７００の別の実施形態の回路線図を図示している。図２９を参照すると、第１回路７２０と第３回路７６０はワイヤリードにより実現され、ＥＳＤ保護ユニット７３０は第１トランジスタ（ここではＰ型トランジスタと呼ぶ）２９０１により実現され、プログラム可能な装置７５０はヒューズにより実現されている。概して、従来のＥＳＤ保護機器７１１は、多くの場合パッド７１０の設計において７１０に配置されているため、内部回路が、ＥＳＤによってパッド７１０内に予測される障害から保護される。通常の集積回路では、ＥＳＤ保護機器をパッド装置内に配置することは非常に一般的である。
【０１２７】
データを書き込む際に、Ｐ型トランジスタ２９０１が導通し、従来のＥＳＤ保護機器７１１とプル/ダウン回路７８０とが、制御信号ＶＤＤＯＦＦによって切断される。その一方で、第２回路７４０が制御信号ＷＲＢによって導通する。ここで、プログラム可能な装置７５０を飛ばすか否かが、パッド７１０に外部から電力が供給されているか否かに従って決定され、これがプログラミング動作と呼ばれる。パッド７１０に外部電力が供給されている場合には、この外部電力がパッド７１０からＥＳＤ保護ユニット７３０、第２回路７４０、プログラム可能な装置７５０を通り、パワーシステム７７０（この実施形態では接地電圧線）にまで流れる。プログラム可能な装置７５０を流れる電流は、熱が発生するとヒューズを飛ばす。
【０１２８】
プログラミング動作の後、制御回路（図示せず）は、制御信号ＶＤＤＯＦＦによってＥＳＤ保護ユニット７３０を切断することで、プログラム可能な装置７５０とパッド７１０の間の接続を接続することができる。こうすることで、プルアップ/ダウン回路７８０を、電圧レベルを引き下げるために使用し、プログラム可能な装置の状態が、回路浮動により発生する任意の予期しない信号によって影響されないかどうかが決定される。さらに、特に必要であれば、プログラム可能な装置７５０の（現在の状態よりも）読み取り状態を、ＥＳＤ保護ユニット７３０の機能を使用して変更することも可能である。感知回路（図示せず）は、プログラム可能な装置７５０の変更された読み取り状態を取得することができ、つまり、状態が短絡から開路に変更される。１回のみ書き込み可能なプログラム可能な装置では、この機能によってその使用がより順応性の高いものになる。
【産業上の利用可能性】
【０１２９】
上述を鑑みると、ＥＳＤ保護ユニットがプログラム可能な装置の電気経路内に配置されていることにより、ＥＳＤイベントが発生すると、ＥＳＤ保護ユニットが高インピーダンスによる電圧降下の殆どを共有するため、プログラム可能な装置の電圧降下を許容可能なレベルにまで低減することができ、また、本発明は好ましいＥＳＤ保護性能を有する。
【０１３０】
これまで本発明を好ましい実施形態において説明してきたが、本発明はこれらに限定されるものではない。本発明の精神および範囲から逸脱しない限り、いくらかの変更および改良を加えられることを当業者は、理解している。したがって、本発明の範囲は特許請求の範囲によって定義されるべきである。
【図面の簡単な説明】
【０１３１】
【図１】米国特許第６，６５４，３０４号からの回路線図である。
【図２】米国特許第６，１５７，２４１号からの回路線図である。
【図３】米国特許第６，７６２，９１８号からの回路線図１である。
【図４】米国特許第６，７６２，９１８号からの別の回路線図である。
【図５】米国特許第６，４６９，８８４号からの回路線図である。
【図６】米国特許第６，８８２，２１４号からの回路線図である。
【図７】本発明の実施形態によるプログラム可能な装置のためのＥＳＤ保護機器のブロック線図である。
【図８】本発明の別の実施形態によるプログラム可能な装置のためのＥＳＤ保護機器のブロック線図である。
【図９】本発明のさらに別の実施形態によるプログラム可能な装置のためのＥＳＤ保護機器である。
【図１０Ａ】本発明による図７のＥＳＤ保護機器の実施形態を図示する。
【図１０Ｂ】本発明による図７のＥＳＤ保護機器の実施形態を図示する。
【図１１Ａ】本発明による図７のＥＳＤ保護機器の実施形態を図示する。
【図１１Ｂ】本発明による図７のＥＳＤ保護機器の実施形態を図示する。
【図１２Ａ】本発明による図７のＥＳＤ保護機器の実施形態を図示する。
【図１２Ｂ】本発明による図７のＥＳＤ保護機器の実施形態を図示する。
【図１３Ａ】本発明による図７のＥＳＤ保護機器の実施形態を図示する。
【図１３Ｂ】本発明による図７のＥＳＤ保護機器の実施形態を図示する。
【図１４Ａ】本発明による図７のＥＳＤ保護機器の実施形態を図示する。
【図１４Ｂ】本発明による図７のＥＳＤ保護機器の実施形態を図示する。
【図１５Ａ】本発明による図７のＥＳＤ保護機器の実施形態を図示する。
【図１５Ｂ】本発明による図７のＥＳＤ保護機器の実施形態を図示する。
【図１６Ａ】本発明による図７のＥＳＤ保護機器の実施形態を図示する。
【図１６Ｂ】本発明による図７のＥＳＤ保護機器の実施形態を図示する。
【図１７Ａ】本発明による図７のＥＳＤ保護機器の実施形態を図示する。
【図１７Ｂ】本発明による図７のＥＳＤ保護機器の実施形態を図示する。
【図１７Ｃ】本発明による図７のＥＳＤ保護機器の実施形態を図示する。
【図１７Ｄ】本発明による図７のＥＳＤ保護機器の実施形態を図示する。
【図１８Ａ】本発明による図７のＥＳＤ保護機器の実施形態を図示する。
【図１８Ｂ】本発明による図７のＥＳＤ保護機器の実施形態を図示する。
【図１８Ｃ】本発明による図７のＥＳＤ保護機器の実施形態を図示する。
【図１８Ｄ】本発明による図７のＥＳＤ保護機器の実施形態を図示する。
【図１９Ａ】本発明による図７のＥＳＤ保護機器の実施形態を図示する。
【図１９Ｂ】本発明による図７のＥＳＤ保護機器の実施形態を図示する。
【図１９Ｃ】本発明による図７のＥＳＤ保護機器の実施形態を図示する。
【図１９Ｄ】本発明による図７のＥＳＤ保護機器の実施形態を図示する。
【図２０Ａ】本発明による図８のＥＳＤ保護機器の実施形態を図示する。
【図２０Ｂ】本発明による図８のＥＳＤ保護機器の実施形態を図示する。
【図２１Ａ】本発明による図８のＥＳＤ保護機器の実施形態を図示する。
【図２１Ｂ】本発明による図８のＥＳＤ保護機器の実施形態を図示する。
【図２２Ａ】本発明による図８のＥＳＤ保護機器の実施形態を図示する。
【図２２Ｂ】本発明による図８のＥＳＤ保護機器の実施形態を図示する。
【図２３Ａ】本発明による図８のＥＳＤ保護機器の実施形態を図示する。
【図２３Ｂ】本発明による図８のＥＳＤ保護機器の実施形態を図示する。
【図２３Ｃ】本発明による図８のＥＳＤ保護機器の実施形態を図示する。
【図２３Ｄ】本発明による図８のＥＳＤ保護機器の実施形態を図示する。
【図２４Ａ】本発明による図８のＥＳＤ保護機器の実施形態を図示する。
【図２４Ｂ】本発明による図８のＥＳＤ保護機器の実施形態を図示する。
【図２４Ｃ】本発明による図８のＥＳＤ保護機器の実施形態を図示する。
【図２４Ｄ】本発明による図８のＥＳＤ保護機器の実施形態を図示する。
【図２５Ａ】本発明による図８のＥＳＤ保護機器の実施形態を図示する。
【図２５Ｂ】本発明による図８のＥＳＤ保護機器の実施形態を図示する。
【図２５Ｃ】本発明による図８のＥＳＤ保護機器の実施形態を図示する。
【図２５Ｄ】本発明による図８のＥＳＤ保護機器の実施形態を図示する。
【図２６Ａ】本発明による図９のＥＳＤ保護機器の実施形態を図示する。
【図２６Ｂ】本発明による図９のＥＳＤ保護機器の実施形態を図示する。
【図２６Ｃ】本発明による図９のＥＳＤ保護機器の実施形態を図示する。
【図２６Ｄ】本発明による図９のＥＳＤ保護機器の実施形態を図示する。
【図２７Ａ】本発明による図９のＥＳＤ保護機器の実施形態を図示する。
【図２７Ｂ】本発明による図９のＥＳＤ保護機器の実施形態を図示する。
【図２７Ｃ】本発明による図９のＥＳＤ保護機器の実施形態を図示する。
【図２７Ｄ】本発明による図９のＥＳＤ保護機器の実施形態を図示する。
【図２８Ａ】本発明による図９のＥＳＤ保護機器の実施形態を図示する。
【図２８Ｂ】本発明による図９のＥＳＤ保護機器の実施形態を図示する。
【図２８Ｃ】本発明による図９のＥＳＤ保護機器の実施形態を図示する。
【図２８Ｄ】本発明による図９のＥＳＤ保護機器の実施形態を図示する。
【図２９】本発明による図７のＥＳＤ保護機器の別の実施形態の回路線図を図示する。
【符号の説明】
【０１３２】
１０   ノード
１２   電流源回路
２２   ヒューズ要素
２４   パッド
２６   接地電圧線
３０１ ヒューズ
３０２ 受信機回路
３０４ Ｎ型トランジスタ
３０６ Ｐ型トランジスタ
３０８ Ｎ型トランジスタ
３１０ 制御回路
３１２ 制御回路
３１４ 出力端部
４０１ ヒューズ
４１４ 保護機器
５０１ プログラム可能な装置
６２１ 金属ヒューズ
６２２ 絶縁ダイオード
６２３ 供給抵抗
７００ 保護機器
７０１ 第１ノード
７０２ 第２ノード
７１０ パッド
７１１ ＥＳＤ保護機器
７２０ 第１回路
７３０ 保護ユニット
７４０ 第２回路
７５０ プログラム可能な装置
７６０ 第３回路
７７０ パワーシステム
７８０ プルアップ/ダウン回路
８００ ＥＳＤ保護機器
８０１ 第１ノード
８０２ 第２ノード
８１０ パッド
８１１ ＥＳＤ保護機器
８２０ 第５回路
８３０ プログラム可能な装置
８４０ ＥＳＤ保護ユニット
８５０ 第６回路
８６０ パワーシステム
９００ ＥＳＤ保護機器
９０１ 第１ノード
９０２ 第２ノード
９１０ パッド
９１１ ＥＳＤ保護機器
９２０ 第８回路
９３０ 保護ユニット
９４０ プログラム可能な装置
９５０ ＥＳＤ保護ユニット
９６０ 第９回路
９７０ パワーシステム
１００１  第１トランジスタ
１００２  第４回路
【図１】
2007103903.tif 000003
【図２】
2007103903.tif 000004
【図３】
2007103903.tif 000005
【図４】
2007103903.tif 000006
【図５】
2007103903.tif 000007
【図６】
2007103903.tif 000008
【図７】
2007103903.tif 000009
【図８】
2007103903.tif 000010
【図９】
2007103903.tif 000011
【図１０Ａ】
2007103903.tif 000012
【図１０Ｂ】
2007103903.tif 000013
【図１１Ａ】
2007103903.tif 000014
【図１１Ｂ】
2007103903.tif 000015
【図１２Ａ】
2007103903.tif 000016
【図１２Ｂ】
2007103903.tif 000017
【図１３Ａ】
2007103903.tif 000018
【図１３Ｂ】
2007103903.tif 000019
【図１４Ａ】
2007103903.tif 000020
【図１４Ｂ】
2007103903.tif 000021
【図１５Ａ】
2007103903.tif 000022
【図１５Ｂ】
2007103903.tif 000023
【図１６Ａ】
2007103903.tif 000024
【図１６Ｂ】
2007103903.tif 000025
【図１７Ａ】
2007103903.tif 000026
【図１７Ｂ】
2007103903.tif 000027
【図１７Ｃ】
2007103903.tif 000028
【図１７Ｄ】
2007103903.tif 000029
【図１８Ａ】
2007103903.tif 000030
【図１８Ｂ】
2007103903.tif 000031
【図１８Ｃ】
2007103903.tif 000032
【図１８Ｄ】
2007103903.tif 000033
【図１９Ａ】
2007103903.tif 000034
【図１９Ｂ】
2007103903.tif 000035
【図１９Ｃ】
2007103903.tif 000036
【図１９Ｄ】
2007103903.tif 000037
【図２０Ａ】
2007103903.tif 000038
【図２０Ｂ】
2007103903.tif 000039
【図２１Ａ】
2007103903.tif 000040
【図２１Ｂ】
2007103903.tif 000041
【図２２Ａ】
2007103903.tif 000042
【図２２Ｂ】
2007103903.tif 000043
【図２３Ａ】
2007103903.tif 000044
【図２３Ｂ】
2007103903.tif 000045
【図２３Ｃ】
2007103903.tif 000046
【図２３Ｄ】
2007103903.tif 000047
【図２４Ａ】
2007103903.tif 000048
【図２４Ｂ】
2007103903.tif 000049
【図２４Ｃ】
2007103903.tif 000050
【図２４Ｄ】
2007103903.tif 000051
【図２５Ａ】
2007103903.tif 000052
【図２５Ｂ】
2007103903.tif 000053
【図２５Ｃ】
2007103903.tif 000054
【図２５Ｄ】
2007103903.tif 000055
【図２６Ａ】
2007103903.tif 000056
【図２６Ｂ】
2007103903.tif 000057
【図２６Ｃ】
2007103903.tif 000058
【図２６Ｄ】
2007103903.tif 000059
【図２７Ａ】
2007103903.tif 000060
【図２７Ｂ】
2007103903.tif 000061
【図２７Ｃ】
2007103903.tif 000062
【図２７Ｄ】
2007103903.tif 000063
【図２８Ａ】
2007103903.tif 000064
【図２８Ｂ】
2007103903.tif 000065
【図２８Ｃ】
2007103903.tif 000066
【図２８Ｄ】
2007103903.tif 000067
【図２９】
2007103903.tif 000068